(57)【要約】【課題】従来の携帯電話機と同一の筐体容積を維持しつつ、より広い面積の表示画面が利用可能であり、かつ複数の表示画面を用いたマルチ・ディスプレイ的運用が可能な携帯電話機を提供する。【解決手段】第１のヒンジ部によって互いに連接された表示部と操作部とからなる折畳式の携帯電話機において、その表示部には、該携帯電話機が折畳まれた際に操作部に当接される内側表示画面が設けられた内側筐体と、該携帯電話機が折畳まれた際に該携帯電話機の外面に露出される外側表示画面が設けられた外側筐体と、内側筐体および外側筐体を互いに連接する第２のヒンジ部とを設ける。また、外側筐体は、第２のヒンジ部を回動軸として内側筐体の側方に並置して開帳することが可能な構造とする。【選択図】図１
2008182289.tif 000002
【特許請求の範囲】
【請求項１】
第１のヒンジ部によって互いに連接された表示部と操作部とからなる折畳式の携帯電話機であって、
前記表示部は、
該携帯電話機が折畳まれた際に、前記操作部に当接される内側表示画面が設けられた内側筐体と、
該携帯電話機が折畳まれた際に、該携帯電話機の外面に露出される外側表示画面が設けられた外側筐体と、
前記内側筐体および外側筐体を互いに連接する第２のヒンジ部と、を含み、
前記外側筐体は、前記第２のヒンジ部を回動軸として前記内側筐体の側方に並置して開帳し得ることを特徴とする携帯電話機。
【請求項２】
前記外側筐体は、前記第２のヒンジ部を回動軸として前記内側筐体の左右いずれかの側方に開帳され、前記内側表示画面および外側表示画面の各々は、互いに左右に並置されることを特徴とする請求項１に記載の携帯電話機。
【請求項３】
前記内側筐体は、
前記内側表示画面が設けられた可動フレーム部と、
該可動フレーム部によって遮蔽された遮蔽表示画面と、をさらに含み、
前記可動フレーム部は、前記遮蔽表示画面の上面に沿って前記外側筐体が開帳される側と反対の方向に滑動され、前記可動フレーム部が該方向に滑動された際に、前記内側表示画面と前記遮蔽表示画面とは互いに左右に並置されて視認し得ることを特徴とする請求項２に記載の携帯電話機。
【請求項４】
前記外側筐体を前記内側筐体と並置して開帳した際に、前記外側表示画面および内側表示画面の各々に表示される映像の天地を同一とする表示映像同期処理を施すことを特徴とする請求項１または２に記載の携帯電話機。
【請求項５】
前記表示映像同期処理は、前記外側筐体の開帳動作を検出するハードウェア手段およびソフトウェア手段の少なくとも一方によって起動されることを特徴とする請求項４に記載の携帯電話機。
【請求項６】
前記内側筐体および外側筐体の少なくとも一方の裏面には、該携帯電話機のバッテリーを充電するための太陽電池パネルが展貼されていることを特徴とする請求項１ないし３の少なくとも何れか１項に記載の携帯電話機。
【請求項７】
前記外側筐体の外面には、映像撮影用のカメラが設けられていることを特徴とする請求項１ないし３の少なくとも何れか１項に記載の携帯電話機。
【請求項８】
前記カメラを撮像デバイスとして利用し、前記内側表示画面または外側表示画面を前記カメラにより撮影した映像の表示デバイスとして利用して、該携帯電話機による撮影映像の映像編集表示機能を設けたことを特徴とする請求項７に記載の携帯電話機。
【請求項９】
前記カメラを撮像デバイスとして利用し、前記カメラにより撮影した映像を該携帯電話機以外の他の携帯電話機に送信して、かつ前記カメラにより撮影した映像および前記他の携帯電話機から受信した映像の各々を、前記内側表示画面若しくは外側表示画面のいずれかに表示するテレビ電話機能を設けたことを特徴とする請求項７に記載の携帯電話機。
【請求項１０】
前記テレビ電話機能の使用と同時に、前記内側表示画面または外側表示画面を用いて、該携帯電話機と前記他の携帯電話機との間における電子メールによる送受信データの表示を行うことを特徴とする請求項９に記載の携帯電話機。
【請求項１１】
前記内側筐体は、
その表面に前記内側表示画面が設けられた内側筐体掩蓋部と、
該内側筐体掩蓋部によって遮蔽された遮蔽表示画面と、
前記内側筐体掩蓋部に連接され、かつ内側筐体の側壁に担持された回動自在な内側筐体ヒンジ部と、をさらに含み、
前記内側筐体掩蓋部は、前記内側筐体ヒンジ部を回動軸として前記外側筐体が開帳される側と反対の方向に開帳し得ることを特徴とする請求項２に記載の携帯電話機。
【請求項１２】
前記内側筐体掩蓋部の裏面には掩蓋部表示画面が設けられていることを特徴とする請求項１１に記載の携帯電話機。
【請求項１３】
前記内側筐体ヒンジ部は、内側筐体の側壁を貫通するヒンジ部係止軸によって軸支され、前記内側筐体掩蓋部は、その開帳後に前記ヒンジ部係止軸を回転軸としてその表裏を自在に反転し得ることを特徴とする請求項１１に記載の携帯電話機。
【請求項１４】
前記内側表示画面は、前記内側筐体掩蓋部に貫設された回転フレーム部の表面に設けられており、かつ該回転フレーム部は、前記内側筐体掩蓋部の縦若しくは横方向の中心軸近傍に設けられた回転フレーム係止軸を回転軸としてその表裏を自在に反転し得ることを特徴とする請求項１１に記載の携帯電話機。
【請求項１５】
前記内側筐体掩蓋部若しくは前記回転フレーム部を反転させた際に、前記内側表示画面に表示される映像の天地を前記遮蔽表示画面に表示される映像の天地と同一とする反転映像同期処理を施すことを特徴とする請求項１３または１４に記載の携帯電話機。
【請求項１６】
前記反転映像同期処理は、前記内側筐体掩蓋部若しくは前記回転フレーム部の反転動作を検出するハードウェア手段およびソフトウェア手段の少なくとも一方によって起動されることを特徴とする請求項１５に記載の携帯電話機。
【請求項１７】
第１のヒンジ部によって互いに連接された表示部と操作部とからなる折畳式の携帯電話機であって、
前記表示部は、
該携帯電話機が折畳まれた際に前記操作部に当接される内側筐体と、
該携帯電話機が折畳まれた際にその背面側に位置される外側筐体と、
前記内側筐体若しくは外側筐体の内部に格納され、かつ該格納筐体の内部から滑動して導出され該格納筐体の外部に延伸可能なスライド板と、
前記スライド板の端部と該スライド板が格納されていない側の筐体の端部とを互いに連接する第２のヒンジ部と、
前記内側筐体の操作部当接面と前記外側筐体の背側外面、ならびに前記第２のヒンジ部が設けられている側の両筐体側面に一体として敷設された可撓性を有する電子表示部材からなる表示パネルと、を含み、
前記表示パネルは、前記第２のヒンジ部が設けられている側の両筐体側面から剥離自在な構造を有し、かつ前記第２のヒンジ部を回動軸として前記外側筐体を前記内側筐体の側方に開帳した際に、前記格納筐体から導出される前記スライド板によって隔離並置された前記内側筐体および外側筐体の上面に展開されることを特徴とする携帯電話機。
【請求項１８】
前記スライド板は、前記内側筐体および外側筐体の各々の内部に分割されて格納され、前記第２のヒンジ部は、該分割されたスライド板の端部同士を連接していることを特徴とする請求項１７に記載の携帯電話機。
【請求項１９】
前記表示パネルの裏面に張設された強弾性を有する薄板状部材をさらに含み、
前記表示パネル及び前記薄板状部材は、少なくともその縦方向の両端部が前記内側筐体の操作部当接面の端部と前記外側筐体の背側外面の端部に固定されていることを特徴とする請求項１７または請求項１８に記載の携帯電話機。
【請求項２０】
前記内側筐体の基底部と前記第１のヒンジ部とを連接するリンク機構をさらに含み、
前記外側筐体が前記内側筐体の側方に開帳された際に、前記リンク機構を構成する複数のリンクの連動によって、前記第１のヒンジ部並びに該ヒンジ部に連接された前記操作部は、前記内側筐体の基底部から分離され、前記格納筐体から導出される前記スライド板によって隔離並置された前記内側筐体および外側筐体の略中央部に移動し得ることを特徴とする請求項１７ないし１９の何れか１項に記載の携帯電話機。
【請求項２１】
前記外側筐体の開帳に応じて、前記表示パネル上に少なくとも一つ以上の画面を設定し得る画面設定機能を有することを特徴とする請求項１７ないし２０の何れか１項に記載の携帯電話機。
【請求項２２】
前記画面設定機能は、前記外側筐体の開帳を検出するハードウェア手段およびソフトウェア手段の少なくとも一方によって起動されることを特徴とする請求項２１に記載の携帯電話機。
【請求項２３】
第１のヒンジ部によって互いに連接された表示部と操作部とからなる折畳式の携帯電話機であって、
前記表示部は、該携帯電話機が折畳まれた際に前記操作部に当接される内側表示画面が設けられた内側筐体を含み、
前記内側筐体は、
前記内側表示画面が設けられた可動フレーム部と、
該可動フレーム部によって遮蔽された遮蔽表示画面と、をさらに含み、
前記可動フレーム部は前記遮蔽表示画面の上面に沿ってその横方向に滑動され、前記可動フレーム部が該方向に滑動された際に、前記内側表示画面と前記遮蔽表示画面の各々が互いに左右に並置されて視認し得ることを特徴とする携帯電話機。
【請求項２４】
第１のヒンジ部によって互いに連接された表示部と操作部とからなる折畳式の携帯電話機であって、
前記表示部は、該携帯電話機が折畳まれた際に前記操作部に当接される内側表示画面が設けられた内側筐体を含み、
前記内側筐体は、
その表面に前記内側表示画面が設けられた内側筐体掩蓋部と、
該内側筐体掩蓋部によって遮蔽された遮蔽表示画面と、
前記内側筐体掩蓋部に連接され、かつ該内側筐体の側壁に担持された回動自在な内側筐体ヒンジ部と、をさらに含み、
前記内側筐体掩蓋部は、前記内側筐体ヒンジ部を回動軸として前記遮蔽表示画面の横方向に開帳されることを特徴とする携帯電話機。
【請求項２５】
前記内側筐体掩蓋部の裏面には掩蓋部表示画面が設けられていることを特徴とする請求項２４に記載の携帯電話機。
【請求項２６】
前記内側筐体ヒンジ部は、内側筐体の側壁を貫通するヒンジ部係止軸によって軸支され、前記内側筐体掩蓋部は、その開帳後に前記ヒンジ部係止軸を回転軸としてその表裏を自在に反転し得ることを特徴とする請求項２４に記載の携帯電話機。
【請求項２７】
前記内側表示画面は、前記内側筐体掩蓋部に貫設された回転フレーム部の表面に設けられており、かつ該回転フレーム部は、前記内側筐体掩蓋部の縦若しくは横方向の中心軸近傍に設けられた回転フレーム係止軸を回転軸としてその表裏を自在に反転し得ることを特徴とする請求項２４に記載の携帯電話機。
【請求項２８】
前記内側筐体掩蓋部若しくは前記回転フレーム部を反転させた際に、前記内側表示画面に表示される映像の天地を前記遮蔽表示画面に表示される映像の天地と同一とする反転映像同期処理を施すことを特徴とする請求項２６または２７に記載の携帯電話機。
【請求項２９】
前記反転映像同期処理は、前記内側筐体掩蓋部若しくは前記回転フレーム部の反転動作を検出するハードウェア手段およびソフトウェア手段の少なくとも一方によって起動されることを特徴とする請求項２８に記載の携帯電話機。
【発明の詳細な説明】
【技術分野】
【０００１】
本発明は、携帯電話機に関するものであり、より詳細には、ヒンジ部によって連接された表示部と操作部とからなる折畳式の携帯電話機において、表示部の外面（携帯電話機の背面）に設けられた外側表示画面と、表示部の内面（携帯電話機が折畳まれた際の内側面）に設けられた内側表示画面とを並置して、かかる二つの表示画面を同時に使用することができる携帯電話機に関するものである。
【背景技術】
【０００２】
近年における携帯電話の普及は目覚しいものがあり、携帯電話の加入者数は従来からの固定電話の加入者数を凌駕して今後さらに増加する状況にある。これに応じて、電子機器メーカーや携帯電話会社からは、様々な形状や機能を持った携帯電話機がユーザーに提供されている。現在、ユーザーに使用されている携帯電話機の形状は、例えば、特許文献１に示されるような折畳式タイプの機種形状が主流となっている。
【０００３】
このような従来の折畳式の携帯電話機は、主に、スピーカ或いはイヤーフォン等の音響出力部品、及び液晶等の表示画面が設けられた表示部（以下、単に『表示部』という）と、マイクロフォン等の音響入力部品、及びテンキーやその他の操作ボタン類を含む操作パネルが設けられた操作部（以下、単に『操作部』という）とから構成されている。なお、これらの表示部や操作部の内部には、マイクロプロセッサを始めとしてメモリ回路やその他のロジック回路、高周波信号の送受信回路、並びに携帯電話機の各部に電力を供給するバッテリーやその制御回路等が組み込まれていることはいうまでもない。
【０００４】
上記の表示部と操作部の各々は、回動自在なヒンジ部によってそれぞれの一端が互いに連接されており、かかるヒンジ部を回動軸として表示部と操作部は折畳・展開が自在な構造となっている。すなわち、携帯電話機の不使用時には、表示部の表示画面と操作部の操作パネルとが当接されて表示部と操作部とは折畳まれた状態となっている。一方、携帯電話機の使用時には、かかるヒンジ部を回動軸として表示部と操作部の各々がほぼ１８０度の方向（水平方向）に展開され、表示画面と操作パネルが開帳されて携帯電話機が使用可能な状態となる。
【０００５】
なお、不使用時に携帯電話機が折畳まれた状態になっていても、他の電話機からの着呼やメール受信等の情報をユーザーに告知できるように、表示部の外面、すなわち、携帯電話機を折畳んだ際の表示部の背面に第二の液晶表示画面を設けた機種も広く普及している（特許文献２を参照の事）。
【０００６】
【特許文献１】特開２００５−８６２８８号公報
【特許文献２】特開２００５−３３６４２号公報
【発明の開示】
【発明が解決しようとする課題】
【０００７】
携帯電話機における表示画面は、例えば、電子メールの内容を表示する際や、携帯電話機の有する各種機能のガイダンスなどを表示させる事を考えれば、広面積であることが望ましい。しかしながら、携帯電話機特有の携帯上の利便性という特質に鑑みれば、表示画面を無闇に広くすることは困難である。また、携帯電話機の有する複数の機能を実行するには、その都度、画面の表示内容を切り替える必要があり、例えばパソコン等における、いわゆるマルチ・ディスプレイやマルチ・ウィンドのような運用ができないという問題もあった。
【０００８】
また、近年の技術革新に伴い小型で高効率の太陽電池パネルが市場に豊富に出回り、例えば電卓や時計等の電子機器の補助電源として広く利用されている。しかしながら、これをバッテリー充電用の補助電源として携帯電話機に搭載するには、携帯電話機上に太陽電池パネルを展貼するスペースを確保することが難しく、携帯電話機における補助電源としての太陽電池パネルの導入が遅れていた。
【０００９】
さらに、昨今テレビ電話機能を有する携帯電話機も増えつつあるが、テレビ電話による通話を行うに当たり、通常、携帯電話機の表示部背面に設けられている映像撮影用のカメラとは別に、表示部の内面にも通話者撮影用のカメラを更に設ける必要があり、テレビ電話機能付きの携帯電話機における機器構成の複雑化と製品コストの上昇を招く要因となっていた。
【００１０】
また、テレビ電話の相手方と通話を行いながら、同時に電子メールなどのデータ通信を行う場合は、テレビ電話に使用している画面の一部にメールの送受信データが表示されるため（例えば、特開２００４−２２８８０５号公報、特開２００５−１９２０１４号公報を参照の事）、テレビ電話による通話時の画面が見辛くなるという弊害が生じていた。
【００１１】
本発明は、前述した従来の課題を解決することを目的とするものであって、より具体的には、従来の携帯電話機と同一の筐体容積を維持しつつ、より広い面積の表示画面が利用可能であり、かつ複数の表示画面を用いたマルチ・ディスプレイ的運用が可能な携帯電話機を提供することを目的とする。また、本発明は、広面積の太陽電池パネルをバッテリー充電用の補助電源として備えた携帯電話機を提供することを目的とする。さらに、本発明は、低コストで使用上の利便性が高いテレビ電話機能付きの携帯電話機を提供することを目的とする。
【課題を解決するための手段】
【００１２】
本発明の第１の観点による携帯電話機は、前述の目的を達成するため、第１のヒンジ部によって互いに連接された表示部と操作部とからなる折畳式の携帯電話機において、該表示部は、該携帯電話機が折畳まれた際に操作部に当接される内側表示画面が設けられた内側筐体と、該携帯電話機が折畳まれた際にその外面に露出される外側表示画面が設けられた外側筐体と、内側筐体および外側筐体を互いに連接する第２のヒンジ部とを含み、外側筐体は第２のヒンジ部を回動軸として内側筐体の側方に並置して開帳し得る構成を有している。
このような構成によれば、表示部に設けられた内側表示画面と外側表示画面の二つの画面を同時に並置して使用できるので、従来の一つの表示画面のみを用いた携帯電話機に比べてより多くの情報を表示させることが可能となる。さらに、同時に二つの表示画面が使用できるので、パソコン等におけるマルチ・ウィンドやマルチ・ディスプレイのような利用形態も可能となる。
【００１３】
また、本発明の第２の観点による携帯電話機では、上記第１の観点において、外側筐体は、第２のヒンジ部を回動軸として内側筐体の左右いずれかの側方に開帳され、内側表示画面および外側表示画面の各々は互いに左右に並置できる構成となっている。
このような構成によれば、携帯電話機のユーザーは、内側表示画面と外側表示画面の二つの画面の各々を左右に並べて同時に視認できるので、携帯電話機における表示画面の使用上の利便性を向上させることができる。
【００１４】
また、本発明の第３の観点による携帯電話機では、上記第２の観点において、内側筐体は、内側表示画面が設けられた可動フレーム部と、該可動フレーム部によって遮蔽された遮蔽表示画面とをさらに含み、該可動フレーム部は、遮蔽表示画面の上面に沿って外側筐体が開帳される側と反対の方向に滑動され、前記可動フレーム部が該方向に滑動された際に、内側表示画面と前記遮蔽表示画面とは、互いに左右に並置されて視認し得る構成となっている。
このような構成によれば、ユーザーは、上述の内側表示画面と外側表示画面に加えて、さらに内側表示画面の下に設けられた遮蔽表示画面をも同時に使用することができるので、携帯電話機における表示画面の使用上の利便性をさらに向上させることができる。
【００１５】
また、本発明の第４の観点による携帯電話機では、上記第１または第２の観点において、外側筐体を内側筐体と並置して開帳した際に、外側表示画面および内側表示画面の各々に表示される映像の天地を同一とする表示映像同期処理を施す構成となっている。
かかる構成によれば、外側筐体を内側筐体と並置して開帳した際に、通常、内側表示画面の天地と逆転している外側表示画面の天地を、内側表示画面の表示映像に合わせて自動的に修正することができ、二つの画面を並置して使用する際の利便性を向上させることができる。
【００１６】
また、本発明の第５の観点による携帯電話機では、上記第４の観点における表示映像同期処理が、外側筐体の開帳動作を検出するハードウェア手段およびソフトウェア手段の少なくとも一方によって起動される構成となっている。
かかる構成によれば、上記の表示映像同期処理を確実かつ迅速に実施することができる。
【００１７】
また、本発明の第６の観点による携帯電話機では、上記第１ないし第３の少なくとも何れか一の観点において、内側筐体および外側筐体の少なくとも一方の裏面に、該携帯電話機のバッテリーを充電するための太陽電池パネルが展貼された構成となっている。
かかる構成によれば、外側筐体を内側筐体の側方に開帳した際に、内側筐体と外側筐体の各々の裏面全体に展貼された広面積の太陽電池パネルが筐体外部に展開されるため、これを利用して携帯電話機のバッテリーを効果的に充電することができる。
【００１８】
また、本発明の第７の観点による携帯電話機では、上記第１ないし第３の少なくとも何れか一の観点において、外側筐体の外面に映像撮影用のカメラを設けた構成となっている。
【００１９】
また、本発明の第８の観点による携帯電話機では、上記第７の観点において、カメラを撮像デバイスとして利用し、内側表示画面または外側表示画面を該カメラにより撮影した映像の表示デバイスとして利用して、該携帯電話機による撮影映像の映像編集表示機能を設けた構成となっている。
このような構成によれば、携帯電話機の表示部の内面にユーザー自身を撮影するカメラを特に設けること無く、外側筐体の外面に設けられた映像撮影用カメラを利用して、いわゆるプリクラ機能（撮影者自身の映像の映像編集表示機能）を携帯電話機に備えることが可能となる。
【００２０】
また、本発明の第９の観点による携帯電話機では、上記第７の観点において、カメラを撮像デバイスとして利用し、該カメラにより撮影した映像を該携帯電話機以外の他の携帯電話機に送信して、かつ該カメラにより撮影した映像および他の携帯電話機から受信した映像の各々を、内側表示画面若しくは外側表示画面のいずれかに表示するテレビ電話機能を有する構成となっている。
このような構成によれば、携帯電話機の表示部の内面にテレビ電話専用の送話者撮影用カメラを設けること無く、外側筐体の外面に設けられた映像撮影用カメラを利用してテレビ電話機能を携帯電話機に備えることができる。
【００２１】
また、本発明の第１０の観点による携帯電話機では、上記第９の観点において、テレビ電話機能の使用と同時に、内側表示画面または外側表示画面を用いて、該携帯電話機と他の携帯電話機との間における電子メール送受信データの表示を行う構成となっている。
このような構成によれば、内側表示画面、外側表示画面の各々をテレビ電話用と電子メール用のそれぞれに専属して割り当てることができるので、テレビ電話と電子メールとを別々の画面を用いて同時に表示することが可能となる。これによって、テレビ電話と電子メールの双方の機能を有する携帯電話機において、テレビ電話機能と電子メール機能とを同時に使用した場合の利便性をさらに向上させることができる。
【００２２】
また、本発明の第１１の観点による携帯電話機では、上記第２の観点において、内側筐体は、その表面に内側表示画面が設けられた内側筐体掩蓋部と、該内側筐体掩蓋部によって遮蔽された遮蔽表示画面と、該内側筐体掩蓋部に連接され、かつ内側筐体の側壁に担持された回動自在な内側筐体ヒンジ部とをさらに含み、該内側筐体掩蓋部は、内側筐体ヒンジ部を回動軸として外側筐体が開帳される側と反対の方向に開帳し得る構成となっている。
このような構成によれば、ユーザーは、内側筐体掩蓋部を開帳させた後にその下から新たに現れる遮蔽表示画面と、外側筐体に設けられた外側表示画面とを同時に使用することができるので、携帯電話機における表示画面の使用上の利便性を向上させることができる。
【００２３】
また、本発明の第１２の観点による携帯電話機では、上記第１１の観点において、内側筐体掩蓋部の裏面に掩蓋部表示画面が設けられた構成となっている。
このような構成によれば、上記の遮蔽表示画面と外側表示画面に加えて、さらに内側筐体掩蓋部の裏面に設けられた掩蓋部表示画面も同時に使用することができるので、携帯電話機における表示画面使用上の利便性をさらに向上させることができる。
【００２４】
また、本発明の第１３の観点による携帯電話機では、上記第１１の観点において、内側筐体ヒンジ部は内側筐体の側壁を貫通するヒンジ部係止軸によって軸支され、内側筐体掩蓋部は、その開帳後にヒンジ部係止軸を回転軸としてその表裏を自在に反転し得る構成となっている。
このような構成によれば、外側筐体を開帳し、さらに内側筐体掩蓋部を開帳させた後にこれを反転させることによって、外側表示画面、遮蔽表示画面、及び内側表示画面の３つの画面を同時に使用することが可能となる。
【００２５】
また、本発明の第１４の観点による携帯電話機では、上記第１１の観点において、内側表示画面は、内側筐体掩蓋部に貫設された回転フレーム部の表面に設けられており、かつ該回転フレーム部は、内側筐体掩蓋部の縦若しくは横方向の中心軸近傍に設けられた回転フレーム係止軸を回転軸としてその表裏を自在に反転し得る構成となっている。
このような構成によれば、外側筐体を開帳し、さらに内側筐体掩蓋部を開帳させた後に、内側筐体掩蓋部に貫設された回転フレーム部を反転させることによって、外側表示画面、遮蔽表示画面、及び内側表示画面の３つの画面を同時に使用することが可能となり、携帯電話機における表示画面の使用上の利便性を向上させることができる。
【００２６】
また、本発明の第１５の観点による携帯電話機では、上記第１３または第１４の観点において、内側筐体掩蓋部若しくは回転フレーム部を反転させた際に、内側表示画面に表示される映像の天地を遮蔽表示画面に表示される映像の天地と同一とする反転映像同期処理を施す構成となっている。
このような構成によれば、内側筐体掩蓋部を開帳させた後、内側筐体掩蓋部若しくは回転フレーム部を反転させた際に、遮蔽表示画面に表示される映像の天地と逆転している内側表示画面の天地を、遮蔽表示画面の表示映像に合わせて自動的に修正することが可能となり、かかる二つの画面を並置して使用する際の利便性を向上させることができる。
【００２７】
また、本発明の第１６の観点による携帯電話機では、上記第１５の観点における反転映像同期処理が、内側筐体掩蓋部若しくは回転フレーム部の反転動作を検出するハードウェア手段およびソフトウェア手段の少なくとも一方によって起動される構成となっている。
したがって、かかる構成によれば上記の反転映像同期処理を確実かつ迅速に行う事が可能となり携帯電話機の機能性を高めることができる。
【００２８】
また、本発明の第１７の観点による携帯電話機では、前述の目的を達成するため、第１のヒンジ部によって互いに連接された表示部と操作部とからなる折畳式の携帯電話機において、該表示部は、該携帯電話機が折畳まれた際に操作部に当接される内側筐体と、該携帯電話機が折畳まれた際にその背面側に位置される外側筐体と、内側筐体若しくは外側筐体の内部に格納され、かつ該格納筐体の内部から滑動して導出され該格納筐体の外部に延伸可能なスライド板と、スライド板の端部と該スライド板が格納されていない側の筐体の端部とを互いに連接する第２のヒンジ部と、内側筐体の操作部当接面と外側筐体の背側外面、ならびに第２のヒンジ部が設けられている側の両筐体側面に一体として敷設された可撓性を有する電子表示部材からなる表示パネルとを含み、該表示パネルは、第２のヒンジ部が設けられている側の両筐体側面から剥離自在な構造を有し、かつ第２のヒンジ部を回動軸として外側筐体を内側筐体の側方に開帳した際に、上記の格納筐体から導出されるスライド板によって隔離並置された内側筐体および外側筐体の上面に展開される構成となっている。
このような構成によれば、外側筐体の開帳時に格納筐体の内部から延伸されたスライド板によって隔離並置された内側筐体および外側筐体の上面に、継ぎ目が無く一体で広面積の表示パネルを展開できるので、携帯電話機における表示画面使用上の利便性を著しく向上させることができる。
【００２９】
また、本発明の第１８の観点による携帯電話機では、上記第１７の観点において、上記スライド板は、内側筐体および外側筐体の各々の内部に分割されて格納され、上記第２のヒンジ部は、該分割されたスライド板の端部同士を連接する構成となっている。
このような構成によれば、スライド板が両方の筐体に分割されて格納されるので、各々の筐体に設けられるスライド板の格納スペースを小型化でき各筐体内における筐体スペースの利用効率を高めることができる。
【００３０】
また、本発明の第１９の観点による携帯電話機では、上記第１７または第１８の観点において、表示パネルの裏面に張設された強弾性を有する薄板状部材をさらに含み、表示パネル及び薄板状部材は、少なくともその縦方向の両端部が内側筐体の操作部当接面の端部と外側筐体の背側外面の端部に固定される構成を有している。
したがって、このような構成によれば、薄板状部材が保持する強弾性に伴う形状復元性によって、外側筐体の開帳動作と表示パネルの展開動作の各々の動作を迅速かつ容易に行う事ができる。
【００３１】
また、本発明の第２０の観点による携帯電話機では、上記第１７ないし第１９の何れか一つの観点において、内側筐体の基底部と第１のヒンジ部とを連接するリンク機構をさらに含み、外側筐体が内側筐体の側方に開帳された際に、上記リンク機構を構成する複数のリンクの連動によって、第１のヒンジ部並びに該ヒンジ部に連接された操作部は、内側筐体の基底部から分離され、格納筐体から導出されるスライド板によって隔離並置された内側筐体および外側筐体の略中央部に移動し得る構成となっている。
かかる構成によれば、外側筐体の開帳に伴う表示パネルの展開後に操作部を表示パネルの略中央部に移動できるため、ユーザーは、広画面表示パネルの中心部を視認しながら携帯電話機の操作が可能となりその操作性を向上させることができる。
【００３２】
また、本発明の第２１の観点による携帯電話機では、上記第１７ないし第２０の何れか一つの観点において、外側筐体の開帳に応じて、表示パネル上に少なくとも一つ以上の画面を設定し得る画面設定機能を設けた構成となっている。
したがって、かかる構成によれば、外側筐体の開帳に応じて表示パネル上に任意の数の画面を設定し得るので、携帯電話機における表示画面の使用上の利便性を高めることができる。
【００３３】
また、本発明の第２２の観点による携帯電話機では、上記第２１の観点において、画面設定機能は、外側筐体の開帳を検出するハードウェア手段およびソフトウェア手段の少なくとも一方によって起動される構成となっている。
したがって、このような構成によれば、上記の画面設定機能を確実かつ迅速に実施することが可能となり携帯電話機の機能向上を図ることができる。
【００３４】
また、本発明の第２３の観点による携帯電話機では、第１のヒンジ部によって互いに連接された表示部と操作部とからなる折畳式の携帯電話機において、該表示部は、該携帯電話機が折畳まれた際に操作部に当接される内側表示画面が設けられた内側筐体を含み、該内側筐体は、内側表示画面が設けられた可動フレーム部と、該可動フレーム部によって遮蔽された遮蔽表示画面とをさらに含み、可動フレーム部は遮蔽表示画面の上面に沿ってその横方向に滑動され、可動フレーム部が該方向に滑動された際に、内側表示画面と遮蔽表示画面の各々が互いに左右に並置されて視認し得る構成となっている。
このような構成によれば、ユーザーは、内側表示画面に加えて内側表示画面の下に設けられた遮蔽表示画面も同時に使用することができるので、表示画面使用上の利便性を向上させることができる。
【００３５】
また、本発明の第２４の観点による携帯電話機では、第１のヒンジ部によって互いに連接された表示部と操作部とからなる折畳式の携帯電話機において、該表示部は、該携帯電話機が折畳まれた際に操作部に当接される内側表示画面が設けられた内側筐体を含み、該内側筐体は、その表面に内側表示画面が設けられた内側筐体掩蓋部と、該内側筐体掩蓋部によって遮蔽された遮蔽表示画面と、内側筐体掩蓋部に連接され、かつ該内側筐体の側壁に担持された回動自在な内側筐体ヒンジ部とをさらに含み、内側筐体掩蓋部は、内側筐体ヒンジ部を回動軸として前記遮蔽表示画面の横方向に開帳し得る構成となっている。
このような構成によれば、ユーザーは内側筐体掩蓋部を開帳させた後に、その下から現れる遮蔽表示画面を新たに使用することができるので、携帯電話機における表示画面の使用上の利便性を向上させることができる。
【００３６】
また、本発明の第２５の観点による携帯電話機では、上記第２４の観点において、内側筐体掩蓋部の裏面に掩蓋部表示画面が設けられた構成となっている。
このような構成によれば、上記の遮蔽表示画面と内側筐体掩蓋部の裏面に設けられた掩蓋部表示画面とを同時に使用することができるので、携帯電話機における表示画面使用上の利便性をさらに向上させることができる。
【００３７】
また、本発明の第２６の観点による携帯電話機では、上記第２４の観点において、内側筐体ヒンジ部は内側筐体の側壁を貫通するヒンジ部係止軸によって軸支され、内側筐体掩蓋部は、その開帳後にヒンジ部係止軸を回転軸としてその表裏を自在に反転し得る構成となっている。
このような構成によれば、内側筐体掩蓋部を開帳した後にその表裏を反転させることによって、内側筐体掩蓋部の下に設けられた遮蔽表示画面と、内側筐体掩蓋部の表面に設けられた内側表示画面の２つの画面を同時に使用することが可能となる。
【００３８】
また、本発明の第２７の観点による携帯電話機では、上記第２４の観点において、内側表示画面は、内側筐体掩蓋部に貫設された回転フレーム部の表面に設けられており、かつ該回転フレーム部は、内側筐体掩蓋部の縦若しくは横方向の中心軸近傍に設けられた回転フレーム係止軸を回転軸としてその表裏を自在に反転し得る構成となっている。
このような構成によれば、内側筐体掩蓋部を開帳した後に、内側筐体掩蓋部に貫設された回転フレーム部を反転させることによって、内側筐体掩蓋部の下に設けられた遮蔽表示画面と、回転フレーム部の表面に設けられた内側表示画面の２つの画面を同時に使用することが可能となり、携帯電話機における表示画面の使用上の利便性を向上させることができる。
【００３９】
また、本発明の第２８の観点による携帯電話機では、上記第２６または第２７の観点において、内側筐体掩蓋部若しくは回転フレーム部を反転させた際に、内側表示画面に表示される映像の天地を遮蔽表示画面に表示される映像の天地と同一とする反転映像同期処理を施す構成となっている。
このような構成によれば、内側筐体掩蓋部を開帳させた後、内側筐体掩蓋部若しくは回転フレーム部を反転させた際に、遮蔽表示画面に表示される映像の天地と逆転している内側表示画面の天地を、遮蔽表示画面の表示映像に合わせて自動的に修正することが可能となり、かかる二つの画面を並置して使用する際の利便性を向上させることができる。
【００４０】
また、本発明の第２９の観点による携帯電話機では、上記第２８の観点における反転映像同期処理が、内側筐体掩蓋部若しくは回転フレーム部の反転動作を検出するハードウェア手段およびソフトウェア手段の少なくとも一方によって起動される構成となっている。
したがって、かかる構成によれば上記の反転映像同期処理を確実かつ迅速に行う事が可能となり携帯電話機の機能性を高めることができる。
【発明の効果】
【００４１】
本発明によれば、従来の携帯電話機と同一の筐体容積を維持しつつ、より広い面積の表示画面を利用することが可能であり、かつ複数の表示画面を同時に使用するいわゆるマルチ・ディスプレイ的運用が可能な携帯電話機を実現することができる。また、本発明によれば、広面積の太陽電池パネルをバッテリー充電用の補助電源として備えた携帯電話機を実現することも可能である。さらに、本発明によれば、低コストでかつ使用上の利便性が高いテレビ電話機能付きの携帯電話機を実現することができる。
【発明を実施するための最良の形態】
【００４２】
以下に、本発明を実施するための最良の形態である複数の実施形態について、それぞれの添付図面を参照しつつ説明を行う。
【実施例１】
【００４３】
先ず、本発明の一つの実施形態である携帯電話機の実施例１について説明を行う。
本実施例１による携帯電話機１０の構造を図１及び図２に示す。因みに、図１は、本発明の特徴である表示部の内側筐体と外側筐体を展開した状態を示す説明図である。同図において、図（１ａ）は携帯電話機１０の操作パネル方向から見た正面図を表し、図（１ｂ）がその側面図を表している。また、図（１ｃ）は携帯電話機１０の上方向（アンテナ取付方向）から見た平面図を表している。
【００４４】
一方、図２は、表示部の内側筐体と外側筐体とを折畳んだ状態を示す説明図である。図２において、図（２ａ）は上記の図（１ａ）と同様にその正面図を表し、図（２ｂ）がその側面図を表している。また、図（２ｃ）はその平面図を表している。
【００４５】
図１及び２に基づいて携帯電話機１０の構成を説明する。携帯電話機１０は、表示部１１、ヒンジ部１２、及び操作部１３から構成されている。表示部１１と操作部１３とは互いにヒンジ部１２によって連接されており、ヒンジ部１２を回動軸として自在に折畳み・展開が可能な構造となっている。かかるヒンジ部による回動機構によって、携帯電話機１０の不使用時には、表示部１１と操作部１３とは折畳まれた状態となる。一方、その使用時には表示部１１と操作部１３の各々がほぼ１８０度の方向（水平方向）に展開された状態となる。なお、図１及び図２は、ともに携帯電話機１０の使用状態、すなわち、表示部１１と操作部１３とが水平方向に展開された状態を示すものである。
【００４６】
表示部１１は、さらに内側筐体１１ａ、外側筐体１１ｂ、及びヒンジ部１１ｃから構成されている。内側筐体１１ａと外側筐体１１ｂとはヒンジ部１１ｃを介して互いに連接されており、ヒンジ部１１ｃを回動軸として折畳み可能な構造となっている。すなわち、図１では外側筐体１１ｂが内側筐体１１ａの右側に開帳されており、図２では外側筐体１１ｂが内側筐体１１ａの背面に折畳まれた状態となっている。なお、本実施例１ではヒンジ部１１ｃが内側筐体１１ａの右側に設けられているが、本発明の実施はかかる事例に限定されるものではなく、例えば、ヒンジ部１１ｃを内側筐体１１ａの左側に設ける構成であっても良い。
【００４７】
さらに、図３に示すようにヒンジ部１１ｃを内側筐体１１ａの上辺部に設けて、外側筐体１１ｂを内側筐体１１ａの上方向に開帳し得る構成とするようにしても良い。因みに、図（３ａ）は、かかる構造を有する携帯電話機１０において外側筐体１１ｂを内側筐体１１ａの上方向に開帳したときの正面図を表し、図（３ｂ）がその場合の側面図を表している。
【００４８】
なお、図１乃至３においてヒンジ部１２及びヒンジ部１１ｃは、表示部１１或いは操作部１３、又は内側筐体１１ａ或いは外側筐体１１ｂから明瞭に分離された形で表現されている。しかしながら、かかる表現は本発明による携帯電話機の構造を説明する際の便宜上、ヒンジ部の存在を強調するために為されたものであり、本発明の実施の形態がかかる事例に限定されるものではない。
すなわち、ヒンジ部１２及びヒンジ部１１ｃは、例えば、表示部１１或いは操作部１３、又は内側筐体１１ａ或いは外側筐体１１ｂの各筐体に内蔵される形態で設けるようにしても良い。因みに、携帯電話機から無駄な突起部を排除するという実用上の利便性に鑑みれば、本発明による携帯電話機においては、上記の各ヒンジ部を各筐体の内部に収納する実施形態を採用することが好ましい。
【００４９】
内側筐体１１ａは、携帯電話機１０を折畳んだ際に操作部１３の操作パネル面に当接される部分であり、その表面には内側表示画面１１ａｄが設けられている。内側表示画面１１ａｄは、液晶などのディスプレイパネルであって、携帯電話機１０の使用時には同パネルに各種の情報が表示される。さらに、内側筐体１１ａの表面には、例えば、スピーカ或いはイヤーフォン等の音響出力部品や、電波の送受信を担うアンテナ等の部品が設けられている。また、内側筐体１１ａの内部には、例えば、内側表示画面１１ａｄの表示制御回路や、高周波信号の送受信回路、或いはアンテナと送受信回路とのマッチング回路等の各種の電子回路が納められている。
【００５０】
外側筐体１１ｂは、図２に示されるように通常は内側筐体１１ａの背面に当接されて折畳まれているが、必要に応じて、図１に示すようにヒンジ部１１ｃを回動軸としてその右側（ヒンジ部１１ｃを内側筐体１１ａの左側に設けた場合はその左側）に開帳することができる。また、外側筐体１１ｂの表面、即ち携帯電話機１０の背面には外側表示画面１１ｂｄが設けられている。
【００５１】
外側表示画面１１ｂｄは、上記の内側表示画面１１ａｄと同様に液晶等のディスプレイパネルであり、携帯電話機１０の不使用時、すなわち表示部１１と操作部１３とを折畳んだ状態のときに、他の電話機からの着呼表示やメール受信等の情報をユーザーに告知するために設けられた第二の表示画面である。なお、外側筐体１１ｂの内部には、外側表示画面１１ｂｄの表示制御回路やその他の各種電子回路が納められている。
【００５２】
操作部１３の表面には、例えば、テンキーやその他の操作ボタン類を含む操作パネル、及びマイクロフォン等の音響入力部品等が設けられている。また、操作部１３の内部には、マイクロプロセッサを始めとしてメモリ回路やその他のロジック回路、並びに携帯電話機１０の全体に電力を供給するバッテリーやその制御回路等が収められている。
【００５３】
次に、本実施例１に基づく携帯電話機１０の動作について説明を行う。
携帯電話機１０のユーザーは、通常、図２に示すように従来の折畳式の携帯電話機と同様、外側筐体１１ｂを内側筐体１１ａの背面に折畳んだ状態で携帯電話機１０を使用している。このような使用状態においてユーザーが、例えば、ガイダンスに従って複数回の入力処理を必要とするようなインターネットなどのコンテンツ配信サービス等にアクセスしたものと仮定する。
一般に、このようなサービスでは、表示されたガイダンスに従ってユーザーがその都度応答入力処理を行う必要があり、パソコンのような大きな表示画面を有さない携帯電話機で対応するには使い勝手が悪い場合が多い。
【００５４】
本実施例１による携帯電話機１０では、このような処理操作の煩雑性を予測したユーザーが、図１に示す如く、外側筐体１１ｂを内側筐体１１ａの右側に開帳させることによって携帯電話機１０の動作を、いわゆるデュアル・ディスプレイモードに移行させることができる。ここで、デュアル・ディスプレイモードとは、携帯電話機１０において、内側表示画面１１ａｄと外側表示画面１１ｂｄの二つの表示画面を同時に用いて情報の表示等を行う動作モードをいう。
【００５５】
デュアル・ディスプレイモードの下では、例えば図（１ａ）に示す如く、ユーザーに対するガイダンスの類を専ら内側表示画面１１ａｄに表示させ、それに対するユーザーの応答入力などの操作画面を外側表示画面１１ｂｄに表示させるようにしても良い。或いは、内側表示画面１１ａｄにはコンテンツ配信サービスが提供するサービスメニュー等を表示させて、外側表示画面１１ｂｄには、ユーザーが当該メニューの中から選択した特定コンテンツの概要を表示させるようにしても良い。
【００５６】
また、デュアル・ディスプレイモードの下では、例えば、携帯電話機１０の有する複数の機能に関する情報を、内側表示画面１１ａｄと外側表示画面１１ｂｄに適宜割り振って表示させるようにしても良い。また、ネットワークからダウンロードしたデータを内側表示画面１１ａｄに表示させ、これに対応する携帯電話機１０のメモリ内にストアされたデータを外側表示画面１１ｂｄに表示させて、双方のデータの比較が容易に行えるようにしても良い。
【００５７】
デュアル・ディスプレイモードにおいて、内側表示画面１１ａｄと外側表示画面１１ｂｄの各々に如何なる表示情報を割り振るかは、携帯電話機１０において起動される各種のアプリケーション・ソフトウェア毎に、例えば、不揮発性のメモリテーブル等を用いて予め定めて置くことが好ましい。そして、携帯電話機１０に内蔵されたマイクロプロセッサ（以下、単に『マイクロプロセッサ』という）が、例えば、図４に示すような表示画面への表示処理動作の指示サブルーチン・プログラムを実行する毎に、デュアル・ディスプレイモードを示すフラグ（以下、単に『ＤＤモードフラグ』という）のセット／リセットの状態を検出して、表示処理の動作の切り替えを行うようにすることが好ましい。
【００５８】
図４に示すサブルーチン・プログラムのフローチャートにおいて、先ず、マイクロプロセッサは、実行中のアプリケーション・ソフトウェアにおいて表示画面への表示処理が有るか否かを検索する（ステップＳ４１）。そして、実行中のアプリケーション・ソフトウェアにおいて表示処理が無いと判断された場合は（ステップＳ４２の「ＮＯ」）、同サブルーチンを終了させて速やかにメイン・プログラムの処理に復帰する。
【００５９】
一方、表示処理が有る場合は（ステップＳ４２の「ＹＥＳ」）、次のステップＳ４３に移行してＤＤモードフラグがセットされているか、或いはリセットされているかをチェックする。ここで、ＤＤモードフラグがセットされた状態とは、内側表示画面１１ａｄと外側表示画面１１ｂｄが展開されている状態を示すものであり、リセットされた状態とは、内側表示画面１１ａｄと外側表示画面１１ｂｄが折畳まれた状態を示すものである。
【００６０】
ステップＳ４３において、ＤＤモードフラグがセットされていると判断された場合、マイクロプロセッサは、ステップＳ４４に進み、そのとき動作しているアプリケーション・ソフトウェアにおいてデュアル・ディスプレイモードによる表示処理を行なう旨を指示し、同サブルーチンを終了させてメイン・プログラムに復帰する。かかる指示に基づいて、進行中のアプリケーション・ソフトウェアでは、例えば、上記の予め定められたメモリテーブル等を参照しつつ、内側表示画面１１ａｄと外側表示画面１１ｂｄの双方に表示する情報を適宜割り振って表示処理動作を実行する。
【００６１】
ところで、従来の折畳式携帯電話機の使用事例から容易に推察できるように、デュアル・ディスプレイモードではない通常の表示モードでは、内側表示画面１１ａｄと外側表示画面１１ｂｄのそれぞれに表示される映像の天地が逆転している。したがって、単に外側筐体１１ｂを開帳して、内側表示画面１１ａｄと外側表示画面１１ｂｄとを並置しただけでは、外側表示画面１１ｂｄに表示される映像の天地が内側表示画面１１ａｄの表示映像と逆転しており、デュアル・ディスプレイモードによる画面使用を行う上での重大な障害となる。そのため、ステップＳ４４のデュアル・ディスプレイモードによる表示処理を行なう旨の指示には、外側表示画面１１ｂｄ及び内側表示画面１１ａｄに表示される各々の映像の天地を同一とする表示映像同期処理の実行指示が含まれている。
【００６２】
かかる表示映像同期処理によって、外側表示画面１１ｂｄに表示される映像の天地が自動的に逆転され、内側表示画面１１ａｄに表示される映像と同一の天地に変換されて外側表示画面１１ｂｄに表示される。これによって、ユーザーは、内側表示画面１１ａｄと外側表示画面１１ｂｄとを左右或いは上下に並べても、何の支障も無く双方の画面を同時にモニターすることができる。
【００６３】
一方、ステップＳ４３において、ＤＤモードフラグがリセットされていると判断された場合、マイクロプロセッサはステップＳ４５に進み、そのとき動いているアプリケーション・ソフトウェアにおいて通常の表示処理、即ち内側表示画面１１ａｄ或いは外側表示画面１１ｂｄの各々を独立して用いる表示処理を指示して、同サブルーチンを終了させてメイン・プログラムに復帰する。
【００６４】
本実施例１において、デュアル・ディスプレイモードによる表示処理の有無を示すＤＤモードフラグのセット／リセットは、ハードウェア的手段を用いて行なうようにしても良い。例えば、ヒンジ部１１ｃの回動動作や、内側筐体１１ａからの外側筐体１１ｂの乖離動作を検出するマイクロスイッチを表示部１１内に設けて、これらのマイクロスイッチからの接点信号を利用してＤＤフラグのセット／リセットを行なう構成としても良い。或いは、フォト・トランジスタやフォト・ダイオードなどの光センサー、或いはホール素子などの磁気センサーを用いて外側筐体１１ｂの開帳を無接触で検出し、その検出結果を用いてＤＤモードフラグのセット／リセットを行なう構成としても良い。
【００６５】
また、ＤＤモードフラグのセット／リセットは、ソフトウェア的手段を用いて行なうようにしても良い。例えば、特定のアプリケーション・ソフトウェアについては、所定の処理ルーチンが実行されることによって、或いは所定のキー操作入力が行なわれる事などによって、ＤＤモードフラグのセット／リセットが自動的に為されるようにしても良い。さらに、以上に説明したハードウェア的手段、若しくはソフトウェア的手段の双方を組み合わせて、ＤＤモードフラグのセット／リセットの処理を行う構成としても良い。
【実施例２】
【００６６】
次に、本発明の他の実施形態である実施例２について説明を行う。なお、本実施例２による携帯電話機は、前述した実施例１による携帯電話機とその基本的な構造を同一とするため、実施例１の場合と同じ構成要素に関しては、前述の図１乃至３と同一の符号を付することによってその説明を省略する。
【００６７】
本実施例２による携帯電話機１００の構成を図５乃至７に基づいて説明する。
図５は、本実施例２による携帯電話機１００の特徴を示す斜視図である。同図において、可動フレーム部１１ａｆは、内側筐体１１ａの前面を覆っている蓋構造の可動部材であり、その表面には前述の内側表示画面１１ａｄが設けられている。また、可動フレーム部１１ａｆの上端面及び下端面には溝状の凹部１１ａｇが設けられており、内側筐体１１ａ内部の上下端面の各々には、上記の凹部１１ａｇと嵌合するレール状の凸部１１ａｈが設けられている。
【００６８】
したがって、可動フレーム部１１ａｆは、図５に示す矢印Ａの方向に向けて自在に滑動させることができる構造となっている。また、可動フレーム部１１ａｆが矢印Ａの逆方向に滑動することを防止すべく、内側筐体１１ａの右側、即ちヒンジ部１１ｃ（図示せず）側にはヒンジ側側壁１１ａｋが設けられている。なお、可動フレーム部１１ａｆの可動構造については後述する。
【００６９】
本実施例２による携帯電話機１００においては、可動フレーム部１１ａｆの下にある内側筐体１１ａの底面に遮蔽表示画面１１ａｅが設けられている。遮蔽表示画面１１ａｅは、上記の内側表示画面１１ａｄと同様に液晶等のディスプレイパネルであり、通常は可動フレーム部１１ａｆによって遮蔽されているが、可動フレーム部１１ａｆを矢印Ａの方向に滑動させて当該画面を露出させた後は、同画面上に各種の情報を表示させることができる。
【００７０】
次に、可動フレーム部１１ａｆの可動構造について図６を用いてその詳細を説明する。先ず、可動フレーム部１１ａｆが、内側筐体１１ａの前面を覆っている状態の内側筐体１１ａの断面模式図を図（６ａ）に示す。同図に示す如く、内側筐体１１ａの左右両サイドには、前述のヒンジ側側壁１１ａｋと、その反対側に滑動側側壁１１ａｍが設けられている。また、可動フレーム部１１ａｆの底面には上記の各側壁と並行して、レール状の凸部である可動フレーム係止凸部１１ａｎが設けられている。
【００７１】
図（６ａ）に示す如く、可動フレーム部１１ａｆが内側筐体１１ａの前面を覆っている状態では、ヒンジ側側壁１１ａｋに沿って可動フレーム係止凸部１１ａｎが当接されているため、可動フレーム部１１ａｆがヒンジ側側壁１１ａｋの方向に滑動するおそれはない。
一方、可動フレーム部１１ａｆが、図（６ｂ）に示す如く、矢印Ａ方向に滑動された場合は、可動フレーム係止凸部１１ａｎが滑動側側壁１１ａｍに到達した時点で可動フレーム部１１ａｆの滑動が停止される。なお、かかる停止状態では、滑動側側壁１１ａｍに沿って可動フレーム係止凸部１１ａｎが当接されているため、可動フレーム部１１ａｆがこれ以上矢印Ａ方向に滑動して内側筐体１１ａから逸脱してしまうおそれはない。
【００７２】
以上に説明したように、本実施例２による携帯電話機１００では、内側表示画面１１ａｄ、外側表示画面１１ｂｄ、及び遮蔽表示画面１１ａｅの三つの表示画面を備えている。それ故、携帯電話機のユーザーが、前述の実施例１におけるデュアル・ディスプレイモードを選択して外側筐体１１ｂを開帳し、さらに、内側筐体１１ａの可動フレーム部１１ａｆを滑動させて遮蔽表示画面１１ａｅを露出させると、図７に示す如く、上記三つの表示画面を同時に使用することができる。このため、本実施例２による携帯電話機１００では、かかる三つの表示画面を用いたマルチ・ディスプレイモードによる表示画面の運用が可能となるので、携帯電話機における表示画面運用上の利便性を著しく高めることができる。
【００７３】
なお、遮蔽表示画面１１ａｅを用いる場合の表示動作モードの選択については、前述の実施例１で説明したデュアル・ディスプレイモードと同様の方法を用いることが好適である。
すなわち、何らかのハードウェア手段、或いはソフトウェア手段を用いて遮蔽表示画面１１ａｅの遮蔽・露出を検出し、同表示画面の使用状態を表すフラグのセット／リセット処理を実施する。そして、前記図４のフローチャートにおいて、さらに、遮蔽表示画面１１ａｅを用いる表示モードの選択分岐処理を追加すれば、本実施例２による三つの表示画面を同時に使用した表示処理の実現が可能となる。
【００７４】
また、本実施例２による携帯電話機１００においては、常に上記三つの表示画面を使用する必要は無く、例えば、外側筐体１１ｂは折畳んだままの状態として可動フレーム部１１ａｆのみを滑動させ、内側表示画面１１ａｄと遮蔽表示画面１１ａｅの二つの表示画面を用いてデュアル・ディスプレイモードによる運用を行なうようにしても良い。
【００７５】
ところで、内側表示画面１１ａｄは、可動フレーム部１１ａｆの表面に設けられているのに対して、遮蔽表示画面１１ａｅは、可動フレーム部１１ａｆの下にある内側筐体１１ａの底面に設けられている。このため、内側表示画面１１ａｄと遮蔽表示画面１１ａｅとの間には若干の高低差が生じることになり、ユーザーが両方の画面を左右同時に視認する際の妨げになる場合も考えられる。
【００７６】
このような問題を解決すべく、可動フレーム部１１ａｆのヒンジ部側の端部に、例えばトグルジョイント機構を応用した折曲段差構造を設けて、可動フレーム部１１ａｆを図５或いは図６に示す矢印Ａの方向の最端まで滑動させた後に、かかる折曲段差構造を利用して可動フレーム部１１ａｆを押し下げ、内側表示画面１１ａｄと遮蔽表示画面１１ａｅとの高低差を減じる構造としても良い。
【００７７】
或いは、可動フレーム部１１ａｆにおいて、内側表示画面１１ａｄの四辺を囲む外枠の構造を、例えば、カメラのズームレンズ構造のような複数段の伸縮段数を有するいわゆるテレスコピック機構としても良い。かかる構造によれば、可動フレーム部１１ａｆを図５或いは図６に示す矢印Ａ方向の最端まで滑動させた後に、可動フレーム１１ａｆの外枠から内側表示画面１１ａｄを押し下げることにより、内側表示画面１１ａｄと遮蔽表示画面１１ａｅとの高低差を減ずることができる。
【実施例３】
【００７８】
次に、本発明の他の実施形態である実施例３について説明を行う。なお、本実施例３による携帯電話機は、前述した実施例１による携帯電話機とその基本的な構造を同一とするため、実施例１の場合と同じ構成要素に関しては、前述の図１乃至３と同一の符号を付することによってその説明を省略する。
【００７９】
先ず、本実施例３による携帯電話機１０１の構造を図８に示す。図８は、表示部１１の内側筐体１１ａと外側筐体１１ｂとを展開した状態を示す説明図であり、図（８ａ）は携帯電話機１０１の背面方向から見た正面図を表し、図（８ｂ）は携帯電話機１０１の上方向（アンテナ取付方向）から見た平面図を表している。なお、本実施例３による携帯電話機１０１において、その操作パネル方向から見た正面図は、実施例１の図（１ａ）と同一であることは言うまでもない。
【００８０】
本実施例３による携帯電話機１０１は、内側筐体１１ａと外側筐体１１ｂの各々の背面に、例えば、アモルファス系シリコンや、単結晶或いは多結晶系シリコン等による太陽電池パネル１１ａｓ、１１ｂｓを展貼したことを特徴とする。これらの太陽電池パネルの出力電圧端子は逆流防止用のショットキー・ダイオード（図示せず）を経て、携帯電話機１０１の操作部１３に内蔵されたバッテリー回路に接続されている。
【００８１】
本実施例３による携帯電話機１０１の動作を説明すれば、先ず、内側筐体１１ａと外側筐体１１ｂが折畳まれている状態では、太陽電池パネル１１ａｓ及び１１ｂｓの各々の受光面が当接された状態で表示部１１の内側に収納されている。
次に、携帯電話機のユーザーが、前述のデュアル・ディスプレイモードによる使用を実行すべく、外側筐体１１ｂを開帳するとそれに応じて太陽電池パネル１１ａｓ及び１１ｂｓが外光に対して露出され、それぞれのパネルに入射する太陽光、或いは人工光によって太陽電池パネルに起電力が発生する。
【００８２】
なお、本実施例３においては、デュアル・ディスプレイモード以外の使用形態であっても太陽電池パネルによる充電が行なえることは言うまでもない。例えば、携帯電話機を、表示画面を利用しない通常の通話に使用している場合であっても、外側筐体１１ｂを開帳することにより、太陽電池パネルによって携帯電話機のバッテリーの充電を行うことができる。また、ユーザーがバッテリーの充電不足を認識した場合は、携帯電話機の不使用時、即ち表示部１１と操作部１３が折畳まれた状態であっても、外側筐体１１ｂを開帳して太陽電池パネル１１ａｓ、及び１１ｂｓを展開することによってバッテリーの充電が可能となる。
【００８３】
なお、本実施例３による携帯電話機への太陽電池パネルの搭載形態によれば、太陽電池パネルをバッテリーの充電に使用しないときは、同パネルが携帯電話機の内部に折畳まれて収納されているためパネル表面の保護が完璧となる。また、かかる収納方式によってパネル表面の汚損も防止することができるので、パネル表面の汚れ等による光発電効率の低下を防ぐことができる。
【実施例４】
【００８４】
次に、本発明の他の実施形態である実施例４について説明を行う。なお、本実施例４による携帯電話機は、前述した実施例１による携帯電話機とその基本的な構造を同一とするので、実施例１の場合と同じ構成要素に関しては、前述の図１乃至３と同一の符号を付することによりその説明を省略する。
【００８５】
本実施例４による携帯電話機１０２の構造を図９に示す。図９は、表示部１１の内側筐体１１ａと外側筐体１１ｂとを展開した状態を示す説明図であり、携帯電話機１０２の操作パネル方向から見た正面図を表している。本実施例４による携帯電話機１０２は、外側筐体１１ｂの表面に、外側表示画面１１ｂｄと並んで撮影用カメラ１１ｂｃを設けたことを特徴とする。撮影用カメラ１１ｂｃは、例えば、ＣＣＤ（電荷結合素子）イメージセンサーを用いた電子カメラであり、操作部１３の操作パネル上からのボタン操作によって映像の撮影を行う事ができる。
【００８６】
次に、本実施例４による携帯電話機１０２の使用例について説明を行なう。
先ず、図９に示す如く、撮影用カメラ１１ｂｃを用いて携帯電話機ユーザーの自らの写真を撮影することができる。そして、かかる撮影写真に基づき、携帯電話機の有する各種の画像処理機能を利用して、いわゆるプリクラ写真を作成することも可能である。さらに、このようにして作成したプリクラ写真をメール等に添付して、他の携帯電話機やパソコン等に送信することもできる。
【００８７】
従来の折畳式携帯電話機において、このようなプリクラ写真の撮影機能を設けるには、通常、携帯電話機の表示部の背面に設けられている撮影用カメラとは別に、表示部の内面にも、新たに携帯電話機のユーザー自身を撮影可能なカメラを設ける必要がある。これに対して本実施例４による携帯電話機１０２では、外側筐体１１ｂに設けられた撮影用カメラ１１ｂｃを、従来の表示部背面の撮影用カメラとユーザー自身を撮影可能なカメラの双方に共用して使用できるので、撮影用カメラ及びその制御回路等を一組だけ備えれば良く、構造の簡易化と製品コストの低減を図ることが可能となる。
【００８８】
次に、本実施例４による携帯電話機１０２の他の使用例につき、添付図１０を用いて説明を行なう。先ず、図（１０ａ）は、携帯電話機１０２を用いて、いわゆるテレビ電話機能を利用した通話を行なった場合の説明図である。本実施例４による携帯電話機１０２は、表示部１１の外側筐体１１ｂを開帳すれば、内側表示画面１１ａｄと外側表示画面１１ｂｄが同時に使用できるので、同図に示す如く、ユーザーは受信した相手方の映像と、相手方に送信される自分自身の映像とを同時に見ながら、相手方とテレビ電話による通話を行うことができる。
【００８９】
なお、図（１０ａ）ではユーザーＡ、Ｂともに、内側表示画面１１ａｄに相手方の映像を、外側表示画面１１ｂｄに自分自身の映像を表示させているが、本実施例４による使用形態はかかる事例に限定されることはなく、如何なる画面に如何なる映像を表示させるかについては任意に設定し得るものとする。
【００９０】
また、本実施例４による携帯電話機１０２の他の使用例としては、テレビ電話機能と電子メール機能とを併用して実施するようにしても良い。すなわち、図（１０ｂ）に示す如く、内側表示画面１１ａｄに相手方の映像を表示させ、外側表示画面１１ｂｄに相手方との電子メールによるデータを表示させるようにしても良い。このような使用形態によれば、相手の表情を見ながら文章を併用した意思疎通が図れるので、数字上の誤りや相互の誤解等を招くことなく商談や交渉を迅速かつ正確に行う事ができる。なお、かかる実施の形態においても、上記の事例と同様に、如何なる画面に如何なる映像を表示させるかについては任意に設定し得るものとする。
【実施例５】
【００９１】
次に、本発明の他の実施形態である実施例５について説明を行う。なお、本実施例５による携帯電話機は、前述した実施例２の携帯電話機とその構造が類似するため、実施例２の場合と同一の構成要素に関しては、図１乃至３、及び図５等と同じ符号を付することによりその説明を省略する。
【００９２】
本実施例５による携帯電話機１０３の構成を図１１に基づいて説明する。
図１１は、本実施例５による携帯電話機１０３の特徴を示す斜視図である。同図において、内側筐体掩蓋部１１ａａは（以下、単に『掩蓋部１１ａａ』という）、内側筐体１１ａの前面を覆っている蓋構造の可動部材であり、その表面には前述の内側表示画面１１ａｄ（図示せず）が設けられている。
【００９３】
また、掩蓋部１１ａａの裏面には、図１１に示すように、蓋部裏面表示画面１１ａｊが設けられている。蓋部裏面表示画面１１ａｊは、内側表示画面１１ａｄ等と同じく液晶等のディスプレイパネルであり、掩蓋部１１ａａが開帳された後は当該画面上に各種の情報を表示させることができる。さらに、本実施例５による携帯電話機１０３においては、前述の実施例２と同様に、掩蓋部１１ａａの下にある内側筐体１１ａの底面部に遮蔽表示画面１１ａｅが設けられている。
【００９４】
掩蓋部１１ａａは、内側筐体ヒンジ部１１ａｃ（以下、単に『ヒンジ部１１ａｃ』という）に連接されており、ヒンジ部１１ａｃは内側筐体１１ａの側壁部によって担持されている。したがって、掩蓋部１１ａａは、かかるヒンジ部１１ａｃを回動軸として、内側筐体１１ａの前面を開閉する掩蓋部材として自在に回動し得る構造となっている。
なお、内側筐体１１ａの前面における掩蓋部１１ａａの開閉に関しては、例えば、図１１に示すように、内側筐体１１ａのヒンジ部１１ａｃが設けられている側と反対側の側壁と、掩蓋部１１ａａのそれぞれに嵌合部材１１ａｐを設けて行なうようにしても良い。すなわち、掩蓋部１１ａａを閉じた際には、上記の嵌合部材同士が嵌合して掩蓋部１１ａａが内側筐体１１ａにロックされた状態となる。
【００９５】
一方、内側筐体１１ａの側壁に設けられたロック解除釦１１ａｒを押下することにより、嵌合部材１１ａｐ同士のロック機構が解除されて掩蓋部１１ａａは開状態となる。この際、ヒンジ部１１ａｃの回動軸に、掩蓋部１１ａａの閉動作方向とは反対の捩れトルクを生起させるトーションバー・スプリング（捩じり棒バネ）機構を備えて置き、上記ロック機構の解除と同時に、掩蓋部１１ａａを自動的に開帳させる構成とするようにしても良い。
なお、以上の掩蓋部１１ａａの開閉動作に関する説明は、本実施例５における一つの実施態様例を示すものに過ぎず、掩蓋部１１ａａの開閉動作の構造がかかる事例に限定されるものでないことは言うまでも無い。
【００９６】
また、図１１からも明らかな如く、ヒンジ部１１ａｃは、内側筐体１１ａと外側筐体１１ｂの回動軸となるヒンジ部１１ｃとは反対側に設けられているので、掩蓋部１１ａａを開帳させて、さらに外側筐体１１ｂをその反対側に開帳させることができる。
したがって、携帯電話機のユーザーが、前述の実施例１におけるデュアル・ディスプレイモードを選択して外側筐体１１ｂを開帳し、さらに、その反対側に掩蓋部１１ａａを開帳して蓋部裏面表示画面１１ａｊ並びに遮蔽表示画面１１ａｅを露出させると、図１２に示す如く、三つの表示画面が互いに左右に並置された形となる。これによって、本実施例５による携帯電話機１０３では、かかる三つの表示画面を同時に用いたマルチ・ディスプレイモードによる表示画面の運用が可能となり、携帯電話機における表示画面運用上の利便性を著しく高めることができる。
【００９７】
なお、蓋部裏面表示画面１１ａｊ及び遮蔽表示画面１１ａｅを用いる場合の表示動作モードの選択については、前述の実施例１で説明したデュアル・ディスプレイモードと同様の方法を用いることが好適である。すなわち、実施例１で前述した何らかのハードウェア手段、或いはソフトウェア手段を用いて蓋部裏面表示画面１１ａｊ及び遮蔽表示画面１１ａｅの露出状態（即ち、掩蓋部１１ａａの開帳動作）を検出し、これらの表示画面の使用状態を表すフラグのセット／リセット処理を実施する。
【００９８】
そして、前記実施例１の図４のフローチャートにおいて、さらに、遮蔽表示画面１１ａｅを用いる表示モードの選択分岐処理を追加すれば、本実施例５による三つの表示画面を同時に使用した表示処理の実現が可能となる。因みに、本実施例５の表示モードでは、実施例１の説明における内側表示画面１１ａｄに換わって蓋部裏面表示画面１１ａｊとなることは言うまでもない。
【００９９】
また、本実施例５による携帯電話機１０３においては、常に上記三つの表示画面を使用する必要は無く、例えば、外側筐体１１ｂは折畳んだままの状態として掩蓋部１１ａａのみを開帳させて、蓋部裏面表示画面１１ａｊと遮蔽表示画面１１ａｅの二つの表示画面を用いてデュアル・ディスプレイモードによる運用を行なうようにしても良い。
【実施例６】
【０１００】
次に、本発明の他の実施形態である実施例６について説明を行う。なお、本実施例６による携帯電話機は、上記の実施例５による携帯電話機とその構造が類似するため、実施例５の場合と同一の構成要素に関しては、前述の図１１と同一の符号を付することによってその説明を省略する。
【０１０１】
本実施例６による携帯電話機１０４の構成を図１３に基づいて説明する。
図１３は、本実施例６による携帯電話機１０４の特徴を示す斜視図である。同図において、掩蓋部１１ａａの表面には実施例５と同様に内側表示画面１１ａｄ（図中の点線にて表示）が設けられている。また、掩蓋部１１ａａはヒンジ部１１ａｃによって、その端部が内側筐体１１ａの側壁に担持されている。したがって、掩蓋部１１ａａは、かかるヒンジ部１１ａｃを回動軸として内側筐体１１ａの前面を開閉する掩蓋部材として自在に回動し得る構造となっている。
【０１０２】
但し、本実施例６においては、ヒンジ部１１ａｃは内側筐体１１ａの側壁に固定して担持されているのでは無く、内側筐体１１ａの側壁を貫通して設けられた回転自在な内側筐体ヒンジ部係止軸１１ａｔ（以下、単に『係止軸１１ａｔ』という）によって軸支されている。すなわち、ヒンジ部１１ａｃは係止軸１１ａｔを回転軸として自在に回転し得る構成となっている。
【０１０３】
図１３からも明らかなように、ヒンジ部１１ａｃは掩蓋部１１ａａの端部に連接されており、かつヒンジ部１１ａｃは掩蓋部１１ａａの縦方向の略中央部に設けられている。それ故、係止軸１１ａｔを回転軸としてヒンジ部１１ａｃが回転すると、それに伴って掩蓋部１１ａａも回転してその表裏が反転する。
なお、図１３においては説明の便宜上、係止軸１１ａｔの一部が内側筐体１１ａの底面から突出した形で描かれているが、係止軸１１ａｔの全てを内側筐体１１ａの内部に格納する形で設けるような構成としても良い。
【０１０４】
なお、前述の実施例５と同様に、図１３に示される携帯電話機１０４においても、内側筐体１１ａの底面には遮蔽表示画面１１ａｅが設けられており、また、内側筐体１１ａと掩蓋部１１ａａの双方には掩蓋部１１ａａの開閉のロックを担う嵌合部材等（１１ａｐ、１１ａｒ）が設けられている。しかしながら、これらの構成要素については実施例５と同様であるためその説明は省略する。
【０１０５】
次に、本実施例６による掩蓋部１１ａａの表裏反転動作について、図１４を基に説明を行なう。
先ず、図（１４ａ）に内側筐体１１ａの掩蓋部１１ａａを開帳した状態を示す。この場合、掩蓋部１１ａａの表面に設けられた内側表示画面１１ａｄは、同図の点線で示される如く裏返しの状態になっているため、携帯電話機１０４のユーザーはこれを視認することが出来ない。したがって、ユーザーが内側表示画面１１ａｄを利用する場合は、図（１４ｂ）に示す如く、係止軸１１ａｔを回転軸として掩蓋部１１ａａを反転させる動作が必要となる。
【０１０６】
かかる反転処理によって掩蓋部１１ａａの表裏が反転され、図（１４ｃ）に示す如く、内側表示画面１１ａｄが遮蔽表示画面１１ａｅに並置されてユーザーは双方の画面を同時に視認することが可能となる。なお、かかる掩蓋部１１ａａの表裏反転を円滑かつ確実に行なうため、係止軸１１ａｔの回転を、例えば、特殊なカム機構等（図示せず）によって制動して、掩蓋部１１ａａの位置がその表裏のいずれかの状態に択一的に定まるべく、その回転動作を１８０度毎に段進する構造とすることが好ましい。
【０１０７】
また、誤接触などによってユーザーの意思に反して掩蓋部１１ａａが反転してしまう事態を防止すべく、係止軸１１ａｔに回転動作のロック機構を設けて、かかるロック機構を一旦解除した後に掩蓋部１１ａａの反転が可能となる構成を採ることが好ましい。
かかる構成としては、例えば、掩蓋部１１ａａを一旦外側方向に引くことによってロック機構が解除される構成としても良いし、或いは、内側筐体１１ａの底面において係止軸１１ａｔの近傍にロック機構の解除釦を設ける構成としても良い。
【０１０８】
本実施例６において、掩蓋部１１ａａを開帳・反転させた後、さらに外側筐体１１ｂを掩蓋部１１ａａの反対側に開帳させれば、前述の実施例２の図７に示される場合と同様に、内側表示画面１１ａｄ、外側表示画面１１ｂｄ、及び遮蔽表示画面１１ａｅの３つの表示画面を同時に使用することができる。したがって、本実施例６においても実施例２で説明した３つの画面によるマルチ・ディスプレイモード処理が適用できることは言うまでもない。
【０１０９】
なお、本実施例６においては掩蓋部１１ａａの反転に伴い、当然に内側表示画面１１ａｄに表示される映像の天地も逆転する。それ故、内側表示画面１１ａｄの反転表示映像を他の画面における表示映像の天地と同期させる必要がある。すなわち、本実施例６においても、実施例１で説明した外側筐体１１ｂの開帳時における外側表示画面１１ｂｄに対する表示映像同期処理と同様の処理（以下、単に『反転映像同期処理』という）を行なう必要が生ずる。
【０１１０】
かかる反転映像同期処理は、上述の表示映像同期処理と同様に、掩蓋部１１ａａの反転を実施例１で前述した何らかのハードウェア手段若しくはソフトウェア手段を用いて検出し、これによって反転映像同期処理の起動フラグのセット／リセットに関する設定を行うことが好ましい。なお、反転映像同期処理の詳細に関しては、前述の実施例１による表示映像同期処理とほぼ同様であるのでその説明は割愛する。
【実施例７】
【０１１１】
次に、本発明の他の実施形態である実施例７について説明を行う。なお、本実施例７による携帯電話機は、上述した実施例６などの携帯電話機とその構造が類似するため、上記各実施例と同一の構成要素に関しては、前述の各図面と同一の符号を付することによってその説明を省略する。
【０１１２】
本実施例７による携帯電話機１０５の構成を図１５に基づいて説明する。
図１５は、本実施例７による携帯電話機１０５の特徴を示す斜視図である。同図において、掩蓋部１１ａａの表面には上記各実施例の場合と同様に内側表示画面１１ａｄ（図中の点線にて表示）が設けられている。また、掩蓋部１１ａａはヒンジ部１１ａｃによって、その端部が内側筐体１１ａの側壁に担持されている。したがって、掩蓋部１１ａａは、かかるヒンジ部１１ａｃを回動軸として内側筐体１１ａの前面を開閉する掩蓋部材として自在に回動し得る構造となっている。
【０１１３】
ところで、本実施例７の場合、内側表示画面１１ａｄは掩蓋部１１ａａの表面に直接に設けられておらず、掩蓋部１１ａａとは別部材の回転フレーム部１１ａｕの表面に設けられている。回転フレーム部１１ａｕは、図１５に示される如く、掩蓋部１１ａａとは分離された構造になっており、いわゆる入れ子形式として掩蓋部１１ａａに貫設されている。そして、回転フレーム部１１ａｕは、掩蓋部１１ａａの縦方向略中心軸に設けられた回転フレーム部係止軸１１ａｘ（以下、単に『係止軸１１ａｘ』という）によって掩蓋部１１ａａに軸支されている。
【０１１４】
したがって、掩蓋部１１ａａを回転フレーム部１１ａｕの周りを周塞する外枠と考えた場合、回転フレーム部１１ａｕは、係止軸１１ａｘを回転軸としてかかる外枠内を自在に回転し得る構造となっている。なお、図１５においては説明の便宜上、係止軸１１ａｘの一部が掩蓋部１１ａａの表面から突出した形で描かれているが、係止軸１１ａｘの全てを掩蓋部１１ａａの内部に格納する形で設けるような構成としても良い。
【０１１５】
また、上述の各実施例と同様に、図１５に示される携帯電話機１０５においても、内側筐体１１ａの底面には遮蔽表示画面１１ａｅが設けられており、また、内側筐体１１ａと掩蓋部１１ａａの双方には掩蓋部１１ａａの開閉ロックに伴う嵌合部材等（１１ａｐ、１１ａｒ）が設けられている。しかしながら、これらの構成要素については上記各実施例の場合と同様であるためその説明は省略する。
【０１１６】
次に、本実施例７による回転フレーム部１１ａｕの反転動作について図１６を基に説明を行なう。
先ず、図（１６ａ）に内側筐体１１ａの掩蓋部１１ａａを開帳した状態を示す。この場合、回転フレーム部１１ａｕの表面に設けられた内側表示画面１１ａｄは、当然ながら、掩蓋部１１ａａの裏面からこれを視認することが出来ない。したがって、ユーザーが内側表示画面１１ａｄを利用する場合、図（１６ｂ）に示す如く、係止軸１１ａｘを回転軸として回転フレーム部１１ａｕを反転させる動作が必要となる。
【０１１７】
かかる反転動作によって、図（１６ｃ）に示すように、内側表示画面１１ａｄが遮蔽表示画面１１ａｅと並置されることになり、ユーザーは双方の画面を同時に視認することが可能となる。なお、かかる回転フレーム部１１ａｕの表裏反転動作を円滑かつ確実に行なうため、係止軸１１ａｘの回転を、例えば、特殊なカム機構等（図示せず）によって制動して、回転フレーム部１１ａｕの位置が表裏のいずれかの状態に択一的に定まるべく、その回転動作を１８０度毎に段進する構造とすることが好ましい。
また、誤接触などによってユーザーの意思に反して回転フレーム部１１ａｕが反転してしまう事態を防止すべく、係止軸１１ａｘに回転動作のロック機構等を設けて、かかるロック機構を一旦解除した後に回転が可能となる構成を採ることが好ましい。
【０１１８】
なお、本実施例７においても、掩蓋部１１ａａを開帳して回転フレーム部１１ａｕ反転させた後、さらに外側筐体１１ｂを掩蓋部１１ａａの反対側に開帳させれば、前述の実施例２の図７に示される場合と同様に、内側表示画面１１ａｄ、外側表示画面１１ｂｄ、及び遮蔽表示画面１１ａｅの３つの表示画面を同時に使用することができる。したがって、本実施例７においても実施例２で説明した３画面によるマルチ・ディスプレイモード処理が適用されることは言うまでもない。
【０１１９】
また、本実施例７による携帯電話機１０５の実施態様は、上記の説明に限定されるものではなく、例えば、図１７に示される如く、回転フレーム部１１ａｕの係止軸１１ａｘを掩蓋部１１ａａの横方向の略中心軸に設ける構成としても良い。なお、同図に示される実施態様の場合、回転フレーム部１１ａｕの反転に際して内側表示画面１１ａｄの上下が逆転された形で遮蔽表示画面１１ａｅと並置される。このため、反転後の内側表示画面１１ａｄにおける表示映像に対して、上記の実施例６で説明した反転映像同期処理を施すことが必要となる。
【０１２０】
なお、以上に説明した実施例５乃至７の各携帯電話機においても、前述の実施例３で示したように、その内側筐体若しくは外側筐体の裏面に太陽電池パネルを供える構成をとしても良い。
また、前述の実施例４で示したように、その外側筐体の表面に撮影用カメラを設けて、同実施例４で説明したいわゆるプリクラ機能やテレビ電話機能、或いはテレビ電話と電子メールの併設機能等を実施例５乃至７の携帯電話機において運用するようにしても良い。因みに、このような各種機能の運用に当たっては、内側表示画面及び外側表示画面に加えて、上記の各実施例で言及した遮蔽表示画面や蓋部裏面表示画面が使用できることは言うまでもない。
【０１２１】
なお、以上に説明した各実施例では、本発明による携帯電話機の表示画面用の部材として液晶表示パネルを例に採ってその説明を行なったが、本発明の実施は、かかる事例に限定されるものではない。例えば、携帯電話機の表示画面用の部材として、プラズマディスプレイパネルやエレクトロルミネッセンスパネル、或いは電子ペーパーによるディスプレイパネル等を用いる構成としても良い。
【実施例８】
【０１２２】
次に、本発明の他の実施形態である実施例８について説明を行う。なお、本実施例８による携帯電話機は、前述した各実施例に示す携帯電話機とその構造が類似するため、上記の各実施例と同一の構成要素に関しては、前述の各図面と同一の符号を付することによってその説明を省略する。
【０１２３】
本実施例８による携帯電話機１０６の構成を図１８及び１９に基づいて説明する。
因みに図（１８ａ）は、携帯電話機１０６の内側筐体１１ａと外側筐体１１ｂとを折畳んだ状態における表示部１１の正面図とその断面図を示すものである。また、図（１８ｂ）は、外側筐体１１ｂを開帳した場合の表示部１１の正面図及びその断面図を示すものである。さらに、図１９は、外側筐体１１ｂを開帳した場合の携帯電話機１０６の斜視図、並びに外側筐体１１ｂの断面図を示すものである。
【０１２４】
本実施例８において表示パネル１４は、例えば、電子ペーパーやエレクトロルミネッセンス等の柔軟で折り曲げが自在な可撓性を有する薄膜状の電子表示部材により構成されている。因みに、以下の説明では表示パネル１４の各部について、内側筐体１１ａの上面に敷設された部分をａ面、外側筐体１１ｂの上面に敷設された部分をｂ面、ヒンジ部１１ｃｃを含む両筐体の側面部に敷設された部分をｃ面と称するものとする。
【０１２５】
なお、表示パネル１４は、ａ面及びｂ面においてそれぞれの筐体表面に固着されているが、ｃ面においては両筐体の側面部に固着されておらず、当該側面部から剥離自在な構造となっている。また、ａ面及びｂ面においても表示パネル１４の全面を各筐体の表面に固着する必要は無く、例えば、図（１８ｂ）に示す如く、表示パネル１４の縦方向両端部のα部とβ部のみを両筐体の上面に固着させる構成であっても良い。表示パネル１４は可撓性を有する薄膜状の部材であるので、その両端部のα部とβ部のみが各筐体に固着されていれば、これによって生ずる張力により、両筐体の折畳み時或いは展開時の如何に拘わらず両筐体の表面にフィットした状態を保ち得ることができる。
【０１２６】
スライド板１５は、内側筐体１１ａと外側筐体１１ｂが折畳まれた状態では、図（１８ａ）のＡ−Ａ’断面図に示される如く、外側筐体１１ｂの内部に格納されている。そして、スライド板１５の端部は、当該スライド板が格納されていない側の筐体、すなわち内側筐体１１ａの端部とヒンジ部１１ｃｃを介して連接されている。したがって、スライド板１５を内蔵する外側筐体１１ｂは、ヒンジ部１１ｃｃを回動軸として内側筐体１１ａから開帳させることができる。
【０１２７】
また、スライド板１５は、外側筐体１１ｂの格納スペース内において滑動自在な構造となっているので、外側筐体１１ｂの開帳に伴って外側筐体１１ｂの格納スペースから徐々に引き出されることになる。スライド板１５は、図１９のＣ−Ｃ’断面図に示される如く、スライド板係止凸部１５ａにより外側筐体１１ｂの格納スペース内の係止凹部に担持されているので、スライド板１５が外側筐体１１ｂから脱落する恐れはない。なお、スライド板１５の下にさらに底蓋板等を設けて、スライド板１５の脱落を防止するような構成としても良い。
【０１２８】
次に、外側筐体１１ｂの開帳動作並びに、表示パネル１４の展開について図２０を用いて説明を行なう。
先ず、図（２０ａ）に携帯電話機１０６の内側筐体１１ａと外側筐体１１ｂが折畳まれた状態にある表示部１１の断面図を示す。本実施例８による携帯電話機１０６では、回動自在なヒンジ部１１ｃｃによって内側筐体１１ａの端部とスライド板１５の端部が連接されている。したがって、外側筐体１１ｂの開帳を意図したユーザーが外側筐体１１ｂの開帳動作を開始すると、内側筐体１１ａとスライド板１５との間でヒンジ部１１ｃｃを回動軸とした回動が生起されることになる。
【０１２９】
前述の如く、スライド板１５は外側筐体１１ｂの格納スペース内を自在に滑動し得るので、かかる回動の進展に伴い、スライド板１５は外側筐体１１ｂから徐々に引き出され、表示部１１の断面は図（２０ｂ）に示されるような状態となる。なお、表示パネル１４のｃ面部は両筐体の側面部に固着されておらず、かつ十分な可撓性を有しているので柔軟に変形して、かかる回動動作やスライド板１５の格納スペース内からの延伸動作を妨げることは無い。
【０１３０】
ユーザーがさらに外側筐体１１ｂの開帳動作を進めると、図（２０ｃ）に示す如く、表示パネル１４が内側筐体１１ａ及び外側筐体１１ｂの上面に完全に展開された状態となって開帳動作が停止される。なお、スライド板１５が外側筐体１１ｂの格納スペースから表示パネル１４のｃ面部の長さだけ延伸された段階で、その滑動が停止されるような簡単なストッパー機構（図示せず）を外側筐体１１ｂの格納スペース内に設けるようにしても良い。
【０１３１】
また、内側筐体１１ａと外側筐体１１ｂの双方の当接面に、例えば、図の１１Ｒに示すような、前述の実施例５の図１１などで言及した蓋部開閉用の嵌合部材（１１ａｐ）やロック機構部材（１１ａｒ）などを設けるようにしても良い。このような機構を設けることによって、開帳時にはワンタッチで外側筐体１１ｂを開くことができ、また、折畳み時にも両筐体をいわゆるパチンと閉じることができる。
【０１３２】
なお、以上の説明では、スライド板１５を外側筐体１１ｂに格納する実施例を説明したが、本発明の実施はかかる事例に限定されるものではなく、スライド板１５を内側筐体１１ａ側に格納する構成としても良い。この場合、スライド板１５の端部と外側筐体１１ｂの端部とがヒンジ部１１ｃｃによって連接され、外側筐体１１ｂの開帳動作に伴ってスライド板１５は内側筐体１１ａの格納スペース内から徐々に引き出されることになる。
【実施例９】
【０１３３】
次に、本発明の他の実施形態である実施例９について説明を行う。なお、本実施例９による携帯電話機は、前述の実施例８等に示す携帯電話機とその構造が類似するため、上記の各実施例と同一の構成要素に関しては、上記の各図面と同一の符号を付することによってその説明を省略する。
【０１３４】
本実施例９による携帯電話機１０７の構成を図２１及び２２に基づいて説明する。
因みに図（２１ａ）は、携帯電話機１０７の内側筐体１１ａと外側筐体１１ｂとを折畳んだ状態における表示部１１の正面図とその断面図を示すものである。また、図（２１ｂ）は、外側筐体１１ｂを開帳した場合の表示部１１の正面図及び断面図示すものである。さらに、図２２は、外側筐体１１ｂを開帳した場合の携帯電話機１０６の斜視図等を示すものである。
【０１３５】
本実施例９においては、図（２１ａ）のＡ−Ａ’断面図に示される如く、両筐体の折畳み時に、スライド板１５は両筐体のそれぞれに分割されて格納されている。そして、分割されたスライド板１５の端部は、互いにヒンジ部１１ｃｃによって連接されている。したがって、ヒンジ部１１ｃｃを回動軸として各スライド板１５同士を回動させることにより、外側筐体１１ｂを内側筐体１１ａから開帳させることができる。
【０１３６】
また、上記の実施例８と同様に、スライド板１５は内側筐体１１ａ及び外側筐体１１ｂの格納スペース内において滑動自在な構造となっているので、外側筐体１１ｂの開帳に伴って、スライド板１５はそれぞれの筐体における格納スペース内から徐々に引き出される。
なお、スライド板１５の格納スペースにおける係止構造、並びに外側筐体１１ｂの開帳動作などに関しては前述の実施例８と同様であるためその説明を省略する。
【実施例１０】
【０１３７】
次に、本発明の他の実施形態である実施例１０について説明を行う。なお、本実施例１０による携帯電話機は、前述の各実施例に示す携帯電話機とその構造が類似するため、上記の各実施例と同一の構成要素に関しては、前述の各図面と同一の符号を付することによってその説明を省略する。
【０１３８】
本実施例１０による携帯電話機１０８の構成を図２３に基づいて説明する。
図２３は、内側筐体１１ａから外側筐体１１ｂを開帳する過程における両筐体の断面図を示すものである。なお、説明の便宜上、本実施例１０による携帯電話機１０８では、前述の実施例９における携帯電話機１０７のスライド板の分割構成（図２１）を用いている。
因みに、本実施例１０による携帯電話機１０８は、表示パネル１４が薄板状弾性体１６の上に張設されている点、即ち表示パネル１４がいわゆる『ハガネバネ』によって裏打ちされている点に特徴がある。
【０１３９】
薄板状弾性体１６は、例えば、燐青銅鋼やその他の弾性鋼材を用いた薄板状部材であり、強力な弾性と形状の復元性を有するものである。なお、かかる薄板状弾性体１６としては、例えば、プラスチックやポリプロピレン等の弾性を有する高分子材料を用いることも可能であるが、静電的或いは電磁的なシールド効果、並びに弾性疲労に対する耐久性等の観点に鑑みれば上記の各種弾性鋼材を用いることが好ましい。
【０１４０】
本発明による携帯電話機では、内側筐体１１ａから外側筐体１１ｂを開帳する動作を開始すると、表示パネル１４と共に折畳まれていた薄板状弾性体１６の復元弾性により、図２３の矢印Ａ方向について強力な張力が自動的に発生する。これによって、ユーザが特に力を加えることも無く、両筐体を嵌合する嵌合機構（１１Ｒ）を解除するだけで、外側筐体１１ｂの開帳動作並びに表示パネル１４の展開動作が速やかに進行する。
【０１４１】
なお、本実施例１０による携帯電話機１０８においては、薄板状弾性体１６を表示パネル１４の剥離部分、すなわち表示パネル１４のＣ面部（両筐体の側面部）の裏側にのみ張り合わせた構造としても良い。また、前述の実施例８における図（１８ｂ）で説明したように、薄板状弾性体１６と表示パネル１４とを張り合わせた複合体の縦方向の両端部のみを、両筐体の上面端部近傍（図（１８ｂ）のα部及びβ部）のみに固着させた構造としても良い。
本実施例１０によれば、表示パネル１４を弾性鋼材の薄板状部材により裏打ちすることによって、上記の静電的或いは電磁的なシールド効果を期待することが可能となり、さらに、表示パネル１４自体の物理的な強度も増強することができる。
【実施例１１】
【０１４２】
次に、本発明の他の実施形態である実施例１１について説明を行う。なお、本実施例１１による携帯電話機は、前述の各実施例に示す携帯電話機とその構造が類似するため、上記の各実施例と同一の構成要素に関しては、前述の各図面と同一の符号を付することによってその説明を省略する。
【０１４３】
本実施例１１による携帯電話機１０９の構成を図２４に基づいて説明する。
図（２４ａ）は、携帯電話機１０９において外側筐体１１ｂを開帳した際の表示部１１の正面図を示すものである。本実施例１１による携帯電話機１０９では、同図に示される如く、ヒンジ部１２の上部にリンク機構格納部１７が設けられている。リンク機構格納部１７は、例えば、部材自体の弾性を利用して凹凸部同士を互いに嵌合させる簡易的な係止爪１１Ｑを用いた嵌合機構によって内側筐体１１ａに連接されており、内側筐体１１ａから容易に着脱し得る構造となっている。
【０１４４】
リンク機構格納部１７の内部にはリンク機構１８が設けられており、同リンク機構は、各々の一端が回動自在なジョイント部１８ｃによって互いに連接された垂直リンク１８ａと水平リンク１８ｂから構成されている。なお、図２４の各図に示されるように、垂直リンク１８ａの他の一端は内側筐体１１ａの基底部右端部に連接されている。また、水平リンク１８ｂの他の一端は、同じく回動自在なジョイントを介してリンク機構格納部１７の中央部に連接されている。
【０１４５】
次に、図２４の各図を用いて携帯電話機１０９の動作を説明する。
先ず、外側筐体１１ｂを開帳させた後に内側筐体１１ａからリンク機構格納部１７を外し、リンク機構格納部１７及びヒンジ部１２を含む操作部１３（以下、単に『操作部１３等』という）全体を下方に引き下げる。これによって、図（２４ｂ）に示す如く、水平リンク１８ａが図中の矢印方向に回動し、これに伴って操作部１３等は図（２４ｂ）中の右方向に向かって移動する。
【０１４６】
一旦、垂直リンク１８ａと水平リンク１８ｂとが一直線上に伸びた後に、続いて操作部１３等を押し上げると、図（２４ｃ）に示す如く、水平リンク１８ａが図中の矢印方向にさらに回動して、操作部１３等は、その上方に位置する内側筐体１１ａ並びに外側筐体１１ｂと合体する（図（２４ｄ）参照）。なお、両筐体の底部にもリンク機構格納部１７の係止爪１１Ｑと嵌合する簡易的な嵌合機構を設けておき、両筐体の底部と操作部１３等との固定を確実に行なえる構成とすることが好ましい。
【０１４７】
また、垂直リンク１８ａの内部にその垂直方向に張力を有する、例えば、コイルスプリング等の弾性部材を設けて置き、リンク機構８全体が常に内側筐体１１ａの底部に引きつけられるような構成としても良い。かかる構成によっても、中央部に移動後の操作部１３等を両筐体の底部に安定して固定することが可能となる。
【０１４８】
なお、以上の説明では、展開された表示パネル１４の中央部にリンク機構を用いて操作部１３等を移動する実施例を説明したが、本実施はかかる事例に限定されるものではなく、例えば、ヒンジ部１２と内側筐体１１ａとの接合部に横方向へのスライド機構を設け、かかるスライド機構を利用して、ヒンジ部１２を含む操作部１３を表示パネルの中央部に移動させる構造としても良い。
【０１４９】
本実施例１１による携帯電話機１０９においては、外側筐体１１ｂを開帳した後に、操作部１３を広く展開された表示パネル１４の中央部に移動させることができる。これによって、携帯電話機のユーザーは、横方向にワイドな表示パネルのほぼ中央部を握持して携帯電話機の操作を行うことができるので、ワイド画面に対する視認性も向上し、携帯電話機操作時における使用の利便性を高めることができる。
【実施例１２】
【０１５０】
次に、本発明の他の実施形態である実施例１２について説明を行う。
本実施例１２は、以上に説明した実施例８乃至１１の携帯電話機における表示画面の設定の態様に関するものである。したがって、本実施例１２による携帯電話機のハードウェア的な形態については、上記各実施例の何れの構成を用いても良く、或いは複数の実施例を組み合わせた構成を用いるようにしても良い。
【０１５１】
因みに、以下の説明においては、本実施例１２による携帯電話機の形態を図２５（ｂ）乃至（ｅ）に示す如く、実施例１１の操作部中央移動タイプ（図２４参照）とする。なお、本実施例１２による携帯電話機において、上記の各実施例と同一の構成要素については前述の各図面と同一の符号を付することによってその説明を省略する。
【０１５２】
先ず、本実施例１２による携帯電話機において、その外側筐体１１ｂを開帳しない場合の表示画面の様子を図（２５ａ）に示す。かかる状態においては、内側筐体１１ａの表面に設けられた表示パネル１４のａ面には画面１が表示され、外側筐体１１ｂの表面（携帯電話機を折畳んだときの背面）に設けられた表示パネル１４のｂ面には画面２が表示され、ヒンジ部１１ｃｃを含む両筐体の側面に設けられた表示パネル１４のｃ面には画面３が表示される。なお、画面１乃至３は、それぞれ独立の表示画面であって各々の画面には携帯電話機の使用状況に応じて様々な情報が表示されるものとする。
【０１５３】
次に、携帯電話機の外側筐体１１ｂが開帳されて表示パネル１４が展開された場合の表示画面の設定について、図（２５ｂ）乃至（２５ｅ）に基づいて説明する。
表示パネル１４が展開された場合、本発明の特徴である広面積の表示画面を最大限に活用すべく、図（２５ｂ）に示すような表示パネル１４の全体を使って画面４を表示させるようにしても良い。このような画面設定を行う事によって、デジタル放送等の受信機能を有する携帯電話機においては広画面による鮮明なテレビジョン映像を鑑賞することができる。また、テレビ電話機能を有する携帯電話機においては、相手方の映像やその周辺映像等を含めてより多くの情報を表示させることが可能となる。さらに、携帯電話機を用いてインターネット等のネットワークにアクセスして種々の操作を行なう場合でも、かかる広画面を用いることによってその操作性、利便性が著しく向上する。
【０１５４】
また、図（２５ｃ）に示すように表示パネル１４に画面５及び６の二つの画面を表示させて、いわゆるマルチ・ディスプレイとしての運用を行うようにしてもよい。この場合、画面５と画面６にはそれぞれ全く独立した情報を表示させるようにしても良いし、或いは、共通の課題に対応した画面を表示させるようにしても良い。
【０１５５】
なお、表示パネル１４における画面設定は、予め定めた画面設定ソフトウェアによって自在に行う事が可能であり、例えば、図（２５ｄ）に示す如く、画面７と画面８の二つの画面を表示パネル１４の縦方向に並べるようにしても良い。さらに、図（２５ｅ）に示すように、画面９、１０、１１の三つの画面を縦横組み合わせて表示パネル１４の上に設定するようにしても良い。
【０１５６】
因みに、図２５の各図に示した画面設定例は、本実施例１２を説明するための事例に過ぎず、本発明の実施がかかる事例に限定されるものでは無い。すなわち、本実施例１２によれば、表示パネル１４に表示される画面の数や大きさ、或いはその形状等に関しては、任意に設定し得るものとし、かかる設定は画面設定ソフトウェアによって為されるため、極めて容易に変更し得るものである。
【０１５７】
本実施例１２において、外側筐体１１ｂの開帳に応じて表示パネル１４の上に各種の画面を設定する処理に関しては、前述の実施例１における図４のフローチャートの説明と同様であるので詳細な説明は省略するがその概要は以下の通りである。
先ず、実施例１に示したような何らかのハードウェア手段或いはソフトウェア手段を用いて、外側筐体１１ｂの開帳を検出して広画面によるディスプレイモード（図４におけるデュアル・ディスプレイモードに相当）の動作フラグをセットする。そして、画面表示処理の際に広画面によるディスプレイモードがセットされた場合は、予め不揮発性メモリ等のデータテーブルに記憶された画面設定のフォーマットに従って、所定の表示画面が表示パネル１４の上に設定され表示されることになる。
【０１５８】
なお、以上に説明した実施例８乃至１２の各携帯電話機においても、前述の実施例３に示したように、その内側筐体若しくは外側筐体の裏面に太陽電池パネルを供える構成としても良い。
【０１５９】
また、前述の実施例４で示したように、その外側筐体の表面に撮影用カメラを設けて、同実施例で説明したいわゆるプリクラ機能やテレビ電話機能、或いはテレビ電話と電子メールの併設機能等を運用するようにしても良い。因みに、このような各種機能の運用に当たっては、実施例４の内側表示画面及び外側表示画面に替えて、実施例１２において言及したように表示パネル１４の上に各種の画面を設定して、プリクラ機能やテレビ電話機能、或いはテレビ電話と電子メールの併設機能等が運用できることは言うまでもない。
【実施例１３】
【０１６０】
次に、本発明の他の実施形態である実施例１３について説明を行う。
因みに、本実施例１３による携帯電話機は、前述した実施例２の携帯電話機から外側筐体１１ｂの開帳機能を除いたものである。
【０１６１】
すなわち、本実施例１３による携帯電話機では、前述の図５に示す如く、可動フレーム部１１ａｆが内側筐体１１ａの前面において図中の矢印Ａ方向に向けて自在に滑動し得る構造となっており、可動フレーム部１１ａｆの下にある内側筐体１１ａの底面には遮蔽表示画面１１ａｅが設けられている。
しかながら、外側筐体１１ｂは、内側筐体１１ａの裏側に固定されており、外側筐体１１ｂが内側筐体１１ａの側方に開帳されることは無い。或いは、ヒンジ部１１ｃを省略して、外側筐体１１ｂと内側筐体１１ａとを同一の部材として構成するようにしても良い。
【０１６２】
なお、本実施例１３の携帯電話機におけるその他の構成要件や機能に関しては、実施例２による携帯電話機の場合と全く同一である。それ故、前述した実施例２についての明細書の記載、並びに添付図面５及び６の説明をもって、本実施例１３による携帯電話機の説明に代えるものとする。
【実施例１４】
【０１６３】
次に、本発明の他の実施形態である実施例１４について説明を行う。本実施例１４による携帯電話機も、上記の実施例１３の場合と同様に、前述した実施例５による携帯電話機から単に外側筐体１１ｂの開帳機能を除いたものである。
【０１６４】
すなわち、本実施例１４による携帯電話機では、前述の図１１に示す如く、内側筐体１１ａの前面には蓋構造の可動部材である掩蓋部１１ａａが設けられている。そして、掩蓋部１１ａａの表面には内側表示画面１１ａｄが、掩蓋部１１ａａの裏面には蓋部裏面表示画面１１ａｊがそれぞれ設けられている。さらに、掩蓋部１１ａａの下にある内側筐体１１ａの底面部には遮蔽表示画面１１ａｅが設けられている。
しかながら、外側筐体１１ｂは、内側筐体１１ａの裏側に固定、若しくは内側筐体１１ａと一体の構造となっているので、外側筐体１１ｂが内側筐体１１ａの側方に開帳されることは無い。
【０１６５】
なお、本実施例１４におけるその他の構成要件や機能に関しては実施例５による携帯電話機の場合と全く同一である。それ故、前述した実施例５についての明細書の記載、並びに添付図面１１の説明をもって、本実施例１４による携帯電話機の説明に代えるものとする。
【実施例１５】
【０１６６】
次に、本発明の他の実施形態である実施例１５について説明を行う。
本実施例１５による携帯電話機も、上記の実施例１３若しくは１４と同様に、前述した実施例６による携帯電話機から単に外側筐体１１ｂの開帳機能を除いたものであり、その他の構成要件や機能に関しては実施例６による携帯電話機と全く同一である。それ故、前述した実施例６についての明細書の記載、並びに添付図面１３及び１４の説明をもって、本実施例１５による携帯電話機の説明に代えるものとする。
【実施例１６】
【０１６７】
次に、本発明の他の実施形態である実施例１６について説明を行う。
本実施例１４による携帯電話機も、前述の実施例７による携帯電話機から単に外側筐体１１ｂの開帳機能を除いたものであり、その他の構成要件や機能に関しては実施例７による携帯電話機と全く同一である。それ故、前述した実施例７についての明細書の記載、並びに添付図面１５乃至１７の説明をもって、本実施例１６による携帯電話機の説明に代えるものとする。
【０１６８】
以上の記載において本発明に関する各実施例についての説明を行なったが、本発明の実施形態は以上に説明した各実施例に限定されるものではなく、例えば、本発明を構成する各部位の形状や配置、或いはその素材等は、本発明の趣旨を逸脱することなく、現実の実施対応に即して適宜変更ができるものであることは言うまでもない。
【産業上の利用可能性】
【０１６９】
以上に説明した本発明の構成は、一般の携帯電話機、ＰＨＳ端末、携帯端末機器、及び携帯が可能な各種のデータ端末機器等においてその利用が可能である。
【図面の簡単な説明】
【０１７０】
【図１】本発明の実施例１による携帯電話機の構造（表示部外側筐体開帳時）を示す説明図である。
【図２】本発明の実施例１による携帯電話機の構造（表示部外側筐体折畳時）を示す説明図である。
【図３】本発明の実施例１において、他の実施の形態による携帯電話機の構造（表示部外側筐体開帳時）を示す説明図である。
【図４】本発明の実施例１において、携帯電話機表示画面への表示処理プログラムの一例を示すフローチャートである。
【図５】本発明の実施例２による携帯電話機の構造を示す斜視図である。
【図６】本発明の実施例２による携帯電話機に具備された可動フレーム部の構造を説明する図である。
【図７】本発明の実施例２による携帯電話機において、各種表示画面の使用の様子を説明する図である。
【図８】本発明の実施例３による携帯電話機の構造（表示部外側筐体開帳時）を示す説明図である。
【図９】本発明の実施例４による携帯電話機の構造（表示部外側筐体開帳時）を示す説明図である。
【図１０】本発明の実施例４による携帯電話機の使用例を示す説明図である。
【図１１】本発明の実施例５による携帯電話機の構造を示す斜視図である。
【図１２】本発明の実施例５による携帯電話機において、各表示画面の使用の様子を説明する図である。
【図１３】本発明の実施例６による携帯電話機の構造を示す斜視図である。
【図１４】本発明の実施例６による携帯電話機において、内側筐体蓋部の反転動作を説明する図である。
【図１５】本発明の実施例７による携帯電話機の構造を示す斜視図である。
【図１６】本発明の実施例７による携帯電話機において、内側筐体回転フレーム部の反転動作を説明する図である。
【図１７】本発明の実施例７による携帯電話機において、その構造の変形例を示す斜視図である。
【図１８】本発明の実施例８による携帯電話機の特徴を示す説明図である。
【図１９】本発明の実施例８による携帯電話機の構造を示す斜視図である。
【図２０】本発明の実施例８による携帯電話機の使用例を示す説明図である。
【図２１】本発明の実施例９による携帯電話機の特徴を示す説明図である。
【図２２】本発明の実施例９による携帯電話機の構造を示す斜視図である。
【図２３】本発明の実施例１０による携帯電話機の特徴を示す説明図である。
【図２４】本発明の実施例１１による携帯電話機の特徴を示す説明図である。
【図２５】本発明の実施例１２による携帯電話機の特徴を示す説明図である。
【符号の説明】
【０１７１】
１０、１００、１０１、１０２、１０３、１０４、１０５、１０６、１０７、
１０８、１０９、１１０  …  携帯電話機
１１                    …  表示部
１１ａ                  …  内側筐体
１１ａａ                …  内側筐体掩蓋部
１１ａｃ                …  内側筐体ヒンジ部
１１ａｄ                …  内側表示画面
１１ａｅ                …  遮蔽表示画面
１１ａｆ                …  可動フレーム部
１１ａｇ                …  溝状凹部
１１ａｈ                …  レール状凸部
１１ａｊ                …  掩蓋部裏面表示画面
１１ａｋ                …  ヒンジ側側壁
１１ａｍ                …  滑動側側壁
１１ａｎ                …  可動フレーム係止凸部
１１ａｐ                …  嵌合部材
１１ａｒ                …  ロック解除釦
１１ａｔ                …  内側筐体ヒンジ部係止軸
１１ａｕ                …  回転フレーム部
１１ａｘ                …  回転フレーム部係止軸
１１ｂ                  …  外側筐体
１１ｂｄ                …  外側表示画面
１１ｂｃ                …  撮影用カメラ
１１ｃ、１１ｃｃ、１２  …  ヒンジ部
１１ａｓ、１１ｂｓ      …  太陽電池パネル
１１Ｒ                  …  嵌合機構
１１Ｑ                  …  嵌合係止爪
１３                    …  操作部
１４                    …  表示パネル
１５                    …  スライド板
１５ａ                  …  スライド板係止凸部
１６                    …  薄板状弾性体
１７                    …  リンク機構格納部
１８                    …  リンク機構
１８ａ                  …  垂直リンク
１８ｂ                  …  水平リンク
１８ｃ                  …  ジョイント部
【図１】
2008182289.tif 000003
【図２】
2008182289.tif 000004
【図３】
2008182289.tif 000005
【図４】
2008182289.tif 000006
【図５】
2008182289.tif 000007
【図６】
2008182289.tif 000008
【図７】
2008182289.tif 000009
【図８】
2008182289.tif 000010
【図９】
2008182289.tif 000011
【図１０】
2008182289.tif 000012
【図１１】
2008182289.tif 000013
【図１２】
2008182289.tif 000014
【図１３】
2008182289.tif 000015
【図１４】
2008182289.tif 000016
【図１５】
2008182289.tif 000017
【図１６】
2008182289.tif 000018
【図１７】
2008182289.tif 000019
【図１８】
2008182289.tif 000020
【図１９】
2008182289.tif 000021
【図２０】
2008182289.tif 000022
【図２１】
2008182289.tif 000023
【図２２】
2008182289.tif 000024
【図２３】
2008182289.tif 000025
【図２４】
2008182289.tif 000026
【図２５】
2008182289.tif 000027